(57)【要約】  本開示は、４Ｇシステム以後より高いデータ送信率をサポートするための５Ｇ通信システムをＩｏＴ技術とコンバージェンスする通信技法及びそのシステムを提供する。本開示は、５Ｇ通信技術及びＩｏＴ関連技術を基盤で知能型サービス（例えば、スマートホーム、スマートビルディング、スマートシティ、スマートカー又はコネクテッドカー、ヘルスケア、デジタル教育、小売り業、保安及び安全関連サービスなど）に適用されることができる。マスターノード（ＭＮ）又はセカンダリーノード（ＳＮ）と連関された物理的ダウンリンク制御チャンネル（ＰＤＣＣＨ）の受信又は送信のための方法、ユーザ装備（ＵＥ）及び基地局が提供される。
2022500933.tif 000002
【特許請求の範囲】
【請求項１】
ユーザ装備（ＵＥ）がマスターノード（ＭＮ）又はセカンダリーノード（ＳＮ）から物理的ダウンリンク制御チャンネル（ＰＤＣＣＨ）を受信するためのユーザ装備（ＵＥ）に対する方法であって、
第１セル個数
【数１】
2022500933.tif 000091
及び第２セル個数
【数２】
2022500933.tif 000092
に対する表示を受信する段階として、ＭＣＧが前記ＭＮに対するマスターセルグループを示し、ＳＣＧが前記ＳＮに対するセカンダリーセルグループを示す、前記受信する段階と、
【数３】
2022500933.tif 000093
による時間期間の間の前記ＭＮの
【数４】
2022500933.tif 000094
ダウンリンク（ＤＬ）セルに対する第１ＰＤＣＣＨ候補の総個数
【数５】
2022500933.tif 000095
を決定する段階として、μは前記
【数６】
2022500933.tif 000096
ＤＬセルのそれぞれに対する活性帯域幅部分（ＢＷＰ）に対するサブキャリア間隔（ｓｕｂｃａｒｒｉｅｒ ｓｐａｃｉｎｇ、ＳＣＳ）構成である、前記決定する段階と、及び
【数７】
2022500933.tif 000097
による時間期間の間の前記ＳＮの
【数８】
2022500933.tif 000098
ＤＬセルに対する第２ＰＤＣＣＨ候補の総個数
【数９】
2022500933.tif 000099
を決定する段階として、μは前記
【数１０】
2022500933.tif 000100
ＤＬセルのそれぞれに対する活性ＢＷＰに対するサブキャリアＳＣＳ構成である、前記決定する段階と、を含む、方法。
【請求項２】
前記時間期間はＳＣＳ構成μのための一つのスロットであり、及び
前記第１ＰＤＣＣＨ候補の総個数
【数１１】
2022500933.tif 000101
は、
【数１２】
2022500933.tif 000102
で決定され、
【数１３】
2022500933.tif 000103
は前記
【数１４】
2022500933.tif 000104
ＤＬセルのうちのセルに対するスロット当たり最大ＰＤＣＣＨ候補個数であり、
【数１５】
2022500933.tif 000105
はｘより小さい最も大きい整数を提供する‘フロア（ｆｌｏｏｒ）’関数であり、及び
ｍｉｎ｛ｘ，ｙ｝はｘ，ｙのうちのより小さいことを提供する‘最小値（ｍｉｎｉｍｕｍ）’関数である、請求項１に記載の方法。
【請求項３】
【数１６】
2022500933.tif 000106
によって前記ＭＮの前記
【数１７】
2022500933.tif 000107
ＤＬセルに対する前記ＰＤＣＣＨ候補を受信する段階と、及び
【数１８】
2022500933.tif 000108
によって前記ＳＮの前記
【数１９】
2022500933.tif 000109
ＤＬセルに対する前記ＰＤＣＣＨ候補を受信する段階をさらに含む、請求項１に記載の方法。
【請求項４】
【数２０】
2022500933.tif 000110
による時間期間の間の前記ＭＮの前記
【数２１】
2022500933.tif 000111
ＤＬセルに対する第１非−重ねたＣＣＥ総個数
【数２２】
2022500933.tif 000112
を決定する段階と、及び
【数２３】
2022500933.tif 000113
による時間期間の間の前記ＳＮの
【数２４】
2022500933.tif 000114
ＤＬセルに対する第２非−重ねたＣＣＥ総個数
【数２５】
2022500933.tif 000115
を決定する段階をさらに含む、請求項１に記載の方法。
【請求項５】
セル個数
【数２６】
2022500933.tif 000116
に対する表示を送信する段階として、
【数２７】
2022500933.tif 000117
である、前記送信する段階をさらに含み、及び
前記第２セル個数
【数２８】
2022500933.tif 000118
に対する表示が前記ＭＮから前記ＳＮへ送信される、請求項１に記載の方法。
【請求項６】
基地局であって、
第１セル個数
【数２９】
2022500933.tif 000119
及び第２セル個数
【数３０】
2022500933.tif 000120
に対する表示を送信するように構成される送信機として、ＭＣＧがマスターノード（ＭＮ）に対するマスターセルグループを示し、ＳＣＧがセカンダリーノード（ＳＮ）に対するセカンダリーセルグループを示す、前記送信機と、及び
【数３１】
2022500933.tif 000121
による時間期間の間の
【数３２】
2022500933.tif 000122
ダウンリンク（ＤＬ）セルに対する物理的ダウンリンク制御チャンネル（ＰＤＣＣＨ）候補個数
【数３３】
2022500933.tif 000123
を決定するように構成されるプロセッサとして、μは前記
【数３４】
2022500933.tif 000124
ＤＬセルのそれぞれに対する活性帯域幅部分（ＢＷＰ）に対するサブキャリア間隔（ＳＣＳ）構成である、前記プロセッサと、を含む、基地局。
【請求項７】
前記時間期間はＳＣＳ構成μのための一つのスロットであり、及び
ＰＤＣＣＨ候補の総個数
【数３５】
2022500933.tif 000125
は
【数３６】
2022500933.tif 000126
で決定され、
【数３７】
2022500933.tif 000127
は前記
【数３８】
2022500933.tif 000128
ＤＬセルのうちのセルに対するスロット当たり最大ＰＤＣＣＨ候補個数であり、
【数３９】
2022500933.tif 000129
はｘより小さい最も大きい整数を提供する‘フロア’関数であり、及び
ｍｉｎ｛ｘ，ｙ｝はｘ，ｙのうちのより小さいことを提供する‘最小値’関数である、請求項６に記載の基地局。
【請求項８】
前記送信機は、
前記
【数４０】
2022500933.tif 000130
ＰＤＣＣＨ候補のうちのＰＤＣＣＨ候補を用いて前記
【数４１】
2022500933.tif 000131
ＤＬセルのうちのセルに対するＰＤＣＣＨを送信し、及び
第１リンクを介して
【数４２】
2022500933.tif 000132
を送信して前記第１リンクと第２リンクを介して
【数４３】
2022500933.tif 000133
を送信するようにさらに構成される、請求項６に記載の基地局。
【請求項９】
前記プロセッサは
【数４４】
2022500933.tif 000134
による時間期間の間の前記
【数４５】
2022500933.tif 000135
ＤＬセルに対する非−重ねたＣＣＥ総個数
【数４６】
2022500933.tif 000136
を決定するようにさらに構成される、請求項６に記載の基地局。
【請求項１０】
セル個数
【数４７】
2022500933.tif 000137
に対する表示を受信するように構成される受信機をさらに含み、
【数４８】
2022500933.tif 000138
である、請求項６記記載の基地局。
【請求項１１】
ユーザ装備（ＵＥ）として、
第１セル個数
【数４９】
2022500933.tif 000139
及び第２セル個数
【数５０】
2022500933.tif 000140
に対する表示を受信するように構成される受信機として、ＭＣＧがマスターノード（ＭＮ）に対するマスターセルグループを示し、ＳＣＧがセカンダリーノード（ＳＮ）に対するセカンダリーセルグループを示す、前記受信機と、及び
プロセッサとして、
【数５１】
2022500933.tif 000141
による時間期間の間の
【数５２】
2022500933.tif 000142
ダウンリンク（ＤＬ）セルに対する第１物理的ダウンリンク制御チャンネル（ＰＤＣＣＨ）候補の総個数
【数５３】
2022500933.tif 000143
であり、μは前記
【数５４】
2022500933.tif 000144
ＤＬセルのそれぞれに対する活性帯域幅部分（ＢＷＰ）に対するサブキャリア間隔（ＳＣＳ）構成であり、及び
【数５５】
2022500933.tif 000145
による時間期間の間の
【数５６】
2022500933.tif 000146
ＤＬセルに対する第２ＰＤＣＣＨ候補の総個数
【数５７】
2022500933.tif 000147
であり、μは前記
【数５８】
2022500933.tif 000148
ＤＬセルのそれぞれに対する活性ＢＷＰに対するサブキャリアＳＣＳ構成であることを決定するように構成される、前記プロセッサと、を含む、ユーザ装備（ＵＥ）。
【請求項１２】
前記時間期間はＳＣＳ構成μのための一つのスロットであり、及び
第１ＰＤＣＣＨ候補の総個数
【数５９】
2022500933.tif 000149
は
【数６０】
2022500933.tif 000150
で決定され、
【数６１】
2022500933.tif 000151
は前記
【数６２】
2022500933.tif 000152
ＤＬセルのうちのセルに対するスロット当たり最大ＰＤＣＣＨ候補個数であり；
【数６３】
2022500933.tif 000153
はｘより小さい最も大きい整数を提供する‘フロア’関数であり、及び
ｍｉｎ｛ｘ，ｙ｝はｘ，ｙのうちのより小さいことを提供する‘最小値’関数である、請求項１１に記載のユーザ装備（ＵＥ）。
【請求項１３】
前記受信機は、
【数６４】
2022500933.tif 000154
によって前記
【数６５】
2022500933.tif 000155
ＤＬセルに対するＰＤＣＣＨ候補；及び
【数６６】
2022500933.tif 000156
によって前記
【数６７】
2022500933.tif 000157
ＤＬセルに対するＰＤＣＣＨ候補を受信するようにさらに構成される、請求項１１に記載のユーザ装備（ＵＥ）。
【請求項１４】
前記プロセッサは、
【数６８】
2022500933.tif 000158
による時間期間の間の前記
【数６９】
2022500933.tif 000159
ＤＬセルに対する第１非−重ねたＣＣＥ総個数
【数７０】
2022500933.tif 000160
及び
【数７１】
2022500933.tif 000161
による時間期間の間の前記
【数７２】
2022500933.tif 000162
ＤＬセルに対する第２非−重ねたＣＣＥ総個数
【数７３】
2022500933.tif 000163
を決定するようにさらに構成される、請求項１１に記載のユーザ装備（ＵＥ）。
【請求項１５】
セル個数
【数７４】
2022500933.tif 000164
に対する表示を送信するように構成される送信機をさらに含み、ここで
【数７５】
2022500933.tif 000165
である、請求項１１に記載のユーザ装備（ＵＥ）。
【発明の詳細な説明】
【技術分野】
【０００１】
本出願は、一般的に無線通信システムに関し、より具体的に、本出願はユーザ装備（ＵＥ）に対する電力消費が減少された動作及び二重接続で動作するための物理的ダウンリンク制御チャンネル（ＰＤＣＣＨ）の送受信に関する。
【背景技術】
【０００２】
４Ｇ通信システム商用化以後の増加趨勢にある無線データトラフィック需要を満たすため、改善された５Ｇ通信システム又はｐｒｅ−５Ｇ通信システムを開発するための努力が行われている。このような理由で、５Ｇ通信システム又はｐｒｅ−５Ｇ通信システムは４Ｇネットワーク以後(Ｂｅｙｏｎｄ ４Ｇ Ｎｅｔｗｏｒｋ)通信システム又はＬＴＥシステム以後(Ｐｏｓｔ ＬＴＥ)システムと呼ばれている。高いデータ送信率を達成するために、５Ｇ通信システムは超高周波(ｍｍＷａｖｅ)帯域(例えば、６０ギガ(６０ＧＨｚ)帯域のような)での具現が考慮されている。超高周波帯域での電波の経路損失緩和及び電波の伝達距離を増加させるために、５Ｇ通信システムではビームフォーミング(ｂｅａｍｆｏｒｍｉｎｇ)、巨大配列多重入出力(ｍａｓｓｉｖｅ ＭＩＭＯ)、全次元多重入出力(Ｆｕｌｌ Ｄｉｍｅｎｓｉｏｎａｌ ＭＩＭＯ：ＦＤ−ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムのネットワーク改善のために、５Ｇ通信システムでは進化された小型セル、改善された小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ ｃｏｍｍｕｎｉｃａｔｉｏｎ：Ｄ２Ｄ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、及び受信干渉除去(ｉｎｔｅｒｆｅｒｅｎｃｅ ｃａｎｃｅｌｌａｔｉｏｎ)などの技術開発が行われている。この以外にも、５Ｇシステムでは進歩されたコーディング変調(Ａｄｖａｎｃｅｄ Ｃｏｄｉｎｇ Ｍｏｄｕｌａｔｉｏｎ：ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ Ｗｉｎｄｏｗ Ｓｕｐｅｒｐｏｓｉｔｉｏｎ Ｃｏｄｉｎｇ)と、進歩された接続技術であるＦＢＭＣ(Ｆｉｌｔｅｒ Ｂａｎｋ Ｍｕｌｔｉ Ｃａｒｒｉｅｒ)、ＮＯＭＡ(ｎｏｎ−ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【０００３】
一方、インターネットは人間が情報を生成して消費する人間中心のネットワークから、事物などの分散された構成要素の間に情報を取り交わして処理するＩｏＴ(Ｉｎｔｅｒｎｅｔ ｏｆ Ｔｈｉｎｇｓ、モノのインターネット)網へと進化している。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も台頭されている。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒ ｎｅｔｗｏｒｋ)、事物通信(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業間のコンバージェンス及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これに、５Ｇ通信システムをＩｏＴ網に適用するための多様な試みが行われている。例えば、センサーネットワーク(ｓｅｎｓｏｒ ｎｅｔｗｏｒｋ)、事物通信(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が５Ｇ通信技術であるビームフォーミング、ＭＩＭＯ、及びアレイアンテナなどの技法によって具現されていることである。前述したビックデータ処理技術としてクラウド無線アクセスネットワーク(ｃｌｏｕｄ ＲＡＮ)が適用されることも５Ｇ技術とＩｏＴ技術コンバージェンスの一例と言えるだろう。
【発明の概要】
【発明が解決しようとする課題】
【０００５】
本開示は、ＬＴＥ（ｌｏｎｇ−ｔｅｒｍ ｅｖｏｌｕｔｉｏｎ）のような４ 世代（４Ｇ）通信システムを越えて、より高いデータ送信率をサポートするために提供されるｐｒｅ−５Ｇ又は５Ｇ通信システムに関する。本開示は多数のＣ−ＤＲＸ期間の間の又はＣ−ＤＲＸ期間内の多数のＰＤＣＣＨモニタリングオケージョンの間のＰＤＣＣＨ候補をモニタリングするか否かをＵＥに表示することに関する。本開示はさらに送信及び受信のためのサービングｇＮＢ選好構成を表示するための手段をＵＥに提供することに関する。本開示はさらにＵＥが多数のセカンダリーセル（ＳＣｅｌｌ）に対して速やかな活性化及び非活性化を行うようにすることに関する。本開示はさらにネットワーク動作に不利益を与えないながらＵＥ電力節減ができるようにするＵＥとサービングｇＮＢの間の通信のための新しい動作モードを設計することに関する。本開示はさらに活性ＳＣｅｌｌの個数及び対応するサブキャリア間隔（ＳＣＳ）構成に対するＨＡＲＱ−ＡＣＫコードブック決定のためのスロットタイミング値セットＫ１を適応させることに関する。本開示はさらにＰＤＳＣＨ／ＰＵＳＣＨをスケジューリングするための処理時間を設定し、スケジューリングのための処理時間に対する動的適応と共にＳＣｅｌｌの活性化／非活性化を結合することに関する。本開示はさらにＵＥがスロット当たりモニタリングすることが予想されるＰＤＣＣＨ候補の個数とＵＥがスロット当たりチャンネル推定を行うことができることが予想される非重複ＣＥの個数に対してＭＮ（ｍａｓｔｅｒ ｎｏｄｅ）、ＳＮ（ｓｅｃｏｎｄａｒｙ ｎｏｄｅ）及びＵＥが同一な理解を有するように確立することに関する。
【課題を解決するための手段】
【０００６】
一実施例で、ＵＥが提供されたＭＮ又はＳＮからＰＤＣＣＨを受信する方法が提供される。この方法は、第１セル個数
【数１】
2022500933.tif 000003
及び第２セル個数
【数２】
2022500933.tif 000004
に対する表示を受信する段階と、及び
【数３】
2022500933.tif 000005
による時間期間の間のＭＮの
【数４】
2022500933.tif 000006
ダウンリンク（ＤＬ）セルに対する第１ＰＤＣＣＨ候補の総個数を決定し、さらに
【数５】
2022500933.tif 000007
による時間期間の間のＳＮの
【数６】
2022500933.tif 000008
ＤＬセルに対する第２ＰＤＣＣＨ候補の総個数を決定する段階と、を含む。ＭＣＧはＭＮに対するマスターセルグループを示し、ＳＣＧはＳＮに対するセカンダリーセルグループを示す。μは
【数７】
2022500933.tif 000009
ＤＬセル又は
【数８】
2022500933.tif 000010
ＤＬセルのそれぞれに対する活性帯域幅部分（ＢＷＰ）に対するサブキャリア間隔（ｓｕｂｃａｒｒｉｅｒ ｓｐａｃｉｎｇ、ＳＣＳ）構成である。
【０００７】
他の実施例で、基地局が提供される。この基地局は、送信機及び送信機に作動可能に接続されたプロセッサを含む。送信機は第１セル個数
【数９】
2022500933.tif 000011
及び第２セル個数
【数１０】
2022500933.tif 000012
に対する表示を送信するように構成される。プロセッサは
【数１１】
2022500933.tif 000013
による時間期間の間の
【数１２】
2022500933.tif 000014
ＤＬセルに対するＰＤＣＣＨ候補個数
【数１３】
2022500933.tif 000015
を決定するように構成される。μは
【数１４】
2022500933.tif 000016
ＤＬセルのそれぞれに対する活性ＢＷＰに対するＳＣＳ構成である。
【０００８】
また他の実施例で、ＵＥが提供される。このＵＥは、受信機及び受信機に動作可能に接続されたプロセッサを含む。受信機は第１セル個数
【数１５】
2022500933.tif 000017
及び第２セル個数
【数１６】
2022500933.tif 000018
に対する表示を受信するように構成される。プロセッサは
【数１７】
2022500933.tif 000019
による時間期間の間の
【数１８】
2022500933.tif 000020
ＤＬセルに対する第１ＰＤＣＣＨ候補の総個数
【数１９】
2022500933.tif 000021
及び
【数２０】
2022500933.tif 000022
による時間期間の間の
【数２１】
2022500933.tif 000023
ＤＬセルに対する第２ＰＤＣＣＨ候補の総個数
【数２２】
2022500933.tif 000024
を決定するように構成される。ＭＣＧはＭＮに対するマスターセルグループを示し、ＳＣＧはＳＮに対するセカンダリーセルグループを示す。μは
【数２３】
2022500933.tif 000025
ＤＬセル又は
【数２４】
2022500933.tif 000026
ＤＬセルのそれぞれに対するＢＷＰに対するＳＣＳ構成である。
【０００９】
他の技術的特徴は次の図面、説明及び請求範囲から当業者に容易に明らかになることができる。
【００１０】
以下、詳細な説明する前に、本特許明細書全体にかけて用いられる特定単語及び語句を定義することが役に立つことができる。用語“カップル（ｃｏｕｐｌｅ）”及びその派生語は２つ以上の要素の間のどんな直接又は間接通信を示すか、これら要素が互いに物理的に接触しているか否かを示す。用語“送信（ｔｒａｎｓｍｉｔ）”、“受信（ｒｅｃｅｉｖｅ）”及び“通信（ｃｏｍｍｕｎｉｃａｔｅ）”、及びその派生語は直接通信及び間接通信のいずれもを含む。用語“含む(ｉｎｃｌｕｄｅ)”及び“構成する(ｃｏｍｐｒｉｓｅ)”、及びこの派生語は制限ではない含むことを意味する。用語“又は(ｏｒ)”は包括的用語として、‘及び／又は’を意味する。語句“〜と連関される(ａｓｓｏｃｉａｔｅｄ ｗｉｔｈ)”及びこの派生語は、〜を含む(ｉｎｃｌｕｄｅ)、〜に含まれる(ｉｎｃｌｕｄｅｄ ｗｉｔｈｉｎ)、〜と結合する(ｉｎｔｅｒｃｏｎｎｅｃｔ ｗｉｔｈ)、〜を含有する(ｃｏｎｔａｉｎ)、〜に含有されている(ｂｅ ｃｏｎｔａｉｎｅｄ ｗｉｔｈｉｎ)、〜に接続する(ｃｏｎｎｅｃｔ ｔｏ ｏｒ ｗｉｔｈ)、〜と結合する(ｃｏｕｐｌｅ ｔｏ ｏｒ ｗｉｔｈ)、〜伝達する(ｂｅ ｃｏｍｍｕｎｉｃａｂｌｅ ｗｉｔｈ)、〜と協力する(ｃｏｏｐｅｒａｔｅ ｗｉｔｈ)、〜をインタリーブする(ｉｎｔｅｒｌｅａｖｅ)、〜を併置する(ｊｕｘｔａｐｏｓｅ)、〜に近づく(ｂｅ ｐｒｏｘｉｍａｔｅ ｔｏ)、バウンディングされる(ｂｅ ｂｏｕｎｄ ｔｏ ｏｒ ｗｉｔｈ)、所有する(ｈａｖｅ)、属性を有する(ｈａｖｅ ａ ｐｒｏｐｅｒｔｙ ｏｆ)、〜と関係を有する(ｈａｖｅ  ａ  ｒｅｌａｔｉｏｎｓｈｉｐ  ｔｏ  ｏｒ  ｗｉｔｈ)などを意味する。用語“制御機”は少なくとも一つの動作を制御する任意の装置、システム又はその一部を意味する。このような制御機はハードウェア又はハードウェア及びソフトウェアの組み合せ及び／又はファームウエアで具現されることができる。特定制御機に係る機能はローカル又は遠隔で中央集中式で処理（ｃｅｎｔｒａｌｉｚｅｄ）されるか又は分散式で処理(ｄｉｓｔｒｉｂｕｔｅｄ)されることができる。語句“少なくとも一つ”は、それが項目の羅列と共に用いられる場合、羅列された項目中の一つ以上の異なる組み合せが用いられることができることを意味する。例えば、“Ａ、Ｂ、及びＣのうちの少なくとも一つ”は次の組み合せ、すなわち。Ａ、Ｂ、Ｃ、ＡとＢ、ＡとＣ、ＢとＣ、及びＡとＢとＣのうちのいずれか一つを含む。
【００１１】
また、後述する各種機能はコンピューター読取り可能なプログラムコードで形成されてコンピューター読取り可能な媒体で具現される一つ以上のコンピュータープログラムのそれぞれによって具現又はサポートされることができる。用語“アプリケーション”及び“プログラム”は一つ以上のコンピュータープログラム、ソフトウェアコンポネント、命令セット、プロシージャ、関数、客体、クラス、インスタンス、関連データ、又は適合したコンピューター読取り可能なプログラムコードでの具現用で構成されたそれの一部を指称する。語句“コンピューター読取り可能なプログラムコード”はソースコード、オブジェクトコード、及び実行可能なコードを含むコンピューターコードの種類を含む。語句“コンピューター読取り可能な媒体”はＲＯＭ（ｒｅａｄ ｏｎｌｙ ｍｅｍｏｒｙ）、ＲＡＭ（ｒａｎｄｏｍ ａｃｃｅｓｓ ｍｅｍｏｒｙ）、ハードディスクドライブ、コンパクトディスク（ＣＤ）、デジタルビデオディスク（ＤＶＤ）、又は任意の他のタイプのメモリーのような、コンピューターによってアクセスされることができる任意のタイプの媒体を含む。“非−一時的な”コンピューター読取り可能な媒体は有線、無線、光学、一時的な電気的又は他の信号を伝達させる通信リンクを除く。非−一時的コンピューター読取り可能な媒体はデータが永久的に記憶される媒体そして再記録が可能な光ディスク又は消去可能なメモリー装置のような、データが記憶されて後で上書きされる媒体を含む。
【００１２】
他の特定単語及び語句に対する定義がこの特許明細書全般にわたって提供される。当業者は大部分の場合ではなくても多数の場合において、このような定義は従来だけでなくそういう定義された単語及び語句の今後の使用に適用されることができることを理解しなければならない。
【発明の効果】
【００１３】
本開示は、ＬＴＥのような４Ｇ通信システムを越えて二重接続でＵＥの電力消耗減少及び動作をサポートするために提供されるｐｒｅ−５Ｇ又は５Ｇ通信システムに関する。本開示の実施例は進歩された通信システムにおいて送信構造及びフォーマットを提供する。
【００１４】
本開示及びその利点に対するより完全な理解のために、もう添付図面と共に取られる次の説明に対する参照が成り、図面で類似の参照符号は類似の部分を示す。
【図面の簡単な説明】
【００１５】
【図１】本開示の実施例による例示的な無線ネットワークを示す図面である。
【図２】本開示の実施例による例示的なｇＮＢを示す図面である。
【図３】本開示の実施例による例示的なＵＥを示す図面である。
【図４】本開示の実施例によるＯＦＤＭを用いる例示的な送信機構造を示す図面である。
【図５】本開示の実施例によるＯＦＤＭを用いる例示的な受信機構造を示す図面である。
【図６】本開示の実施例によるＤＣＩフォーマットに対する例示的なエンコーディングプロセスを示す図面である。
【図７】本開示の実施例によってＵＥと共に用いるためのＤＣＩフォーマットに対する例示的なデコーディングプロセスを示す図面である。
【図８】本開示の実施例によってＵＥがＣ−ＤＲＸ期間の間のパラメーターを調整する方法のフローチャートを示す図面である。
【図９】本開示の実施例によってＵＥがＣＣＥアグリゲーションレベル及び探索空間セット当たりＰＤＣＣＨ候補の数を調整する方法のフローチャートを示す図面である。
【図１０】本開示の実施例によって対応するＤＬ ＢＷＰによってＣＣＥアグリゲーションレベル当たり及び探索空間セット当たりＰＤＣＣＨ候補の数に対するＵＥ決定のための方法のフローチャートを示す図面である。
【図１１】本開示の実施例によってＵＥがセルセットに対するＣＳＩを測定して報告する方法のフローチャートを示す図面である。
【図１２】本開示の実施例によって多数のＵＥ受信機アンテナに対する構成を決定するためにＵＥが報告する方法のフローチャートを示す図面である。
【図１３】本開示の実施例による対応するＤＬ ＢＷＰに依存する多数のＵＥ受信機アンテナに対するＵＥ決定のための方法のフローチャートを示す図面である。
【図１４】本開示の実施例によってＳＣｅｌｌの活性化又は非活性化と結合されたＳＣｅｌｌでＰＤＳＣＨ／ＰＵＳＣＨ受信／送信をスケジューリングするための処理時間の適応のための方法のフローチャートを示す図面である。
【図１５】本開示の実施例によるＢＷＰ転換及びＳＣｅｌｌ活性化／非活性化と共にスロットタイミング値Ｋ１の適応のための方法のフローチャートを示す図面である。
【図１６】本開示の実施例によってＵＥと通信するためのそれぞれの構成を決定するために情報を交換するＭＣＧ及びＳＣＧに対するコールフローを示す図面である。
【発明を実施するための形態】
【００１６】
以下に説明される図１乃至図１６、及びこの特許明細書における本開示の原理を説明するために用いられる各種実施例はただ説明のためのことであり、どんな方式でも本開示の範囲を制限する方式に解釈されてはいけない。本開示の原理は任意の適切に構成されたシステム又は装置で具現されることができるということを当業者は理解することができるだろう。
【００１７】
次の文献、すなわち、３ＧＰＰ ＴＳ ３８．２１１ ｖ１５．３．０、“ＮＲ；Ｐｈｙｓｉｃａｌ ｃｈａｎｎｅｌｓ ａｎｄ ｍｏｄｕｌａｔｉｏｎ；” ３ＧＰＰ ＴＳ ３８．２１２ ｖ１５．３．０、“ＮＲ；Ｍｕｌｔｉｐｌｅｘｉｎｇ ａｎｄ Ｃｈａｎｎｅｌ ｃｏｄｉｎｇ；” ３ＧＰＰ ＴＳ ３８．２１３ ｖ１５．３．０、“ＮＲ；Ｐｈｙｓｉｃａｌ Ｌａｙｅｒ Ｐｒｏｃｅｄｕｒｅｓ ｆｏｒ Ｃｏｎｔｒｏｌ；” ３ＧＰＰ ＴＳ ３８．２１４ ｖ１５．３．０、“ＮＲ；Ｐｈｙｓｉｃａｌ Ｌａｙｅｒ Ｐｒｏｃｅｄｕｒｅｓ ｆｏｒ Ｄａｔａ；” ３ＧＰＰ ＴＳ ３８．３２１ ｖ１５．３．０、“ＮＲ；Ｍｅｄｉｕｍ Ａｃｃｅｓｓ Ｃｏｎｔｒｏｌ（ＭＡＣ） ｐｒｏｔｏｃｏｌ ｓｐｅｃｉｆｉｃａｔｉｏｎ；” 及び ３ＧＰＰ ＴＳ ３８．３３１ ｖ１５．３．０、“ＮＲ；Ｒａｄｉｏ Ｒｅｓｏｕｒｃｅ Ｃｏｎｔｒｏｌ（ＲＲＣ） Ｐｒｏｔｏｃｏｌ Ｓｐｅｃｉｆｉｃａｔｉｏｎ”は本明細書で完全に説明されたように参照として本開示に統合される。
【００１８】
以下の図１乃至図３においては、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）又はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信技術を用いて無線通信システムで具現される多様な実施例に対して説明する。図１乃至図３の説明は異なる実施例が具現されることができる方式に対する物理的又は構造的制限を意味しない。本開示の他の実施例は任意の適切に構成された通信システムに具現されることもできる。
【００１９】
図１は、本開示の実施例による、例示的な無線ネットワークを示す図面である。図１に示された無線ネットワークの実施例はただ説明のためのことである。無線ネットワーク１００に対する他の実施例が本開示の範囲を逸脱せず範囲内で用いられることができる。
【００２０】
図１に示されたように、無線ネットワークはｇＮＢ１０１、ｇＮＢ１０２、及びｇＮＢ１０３を含む。ｇＮＢ１０１はｇＮＢ１０２及びｇＮＢ１０３と通信する。また、ｇＮＢ１０１は少なくとも一つのネットワーク１３０、例えば、インターネット、専用ＩＰ（Ｉｎｔｅｒｎｅｔ  Ｐｒｏｔｏｃｏｌ）ネットワーク、又は他のデータネットワークとも通信する。
【００２１】
ｇＮＢ１０２はｇＮＢ１０２のカバレッジ領域１２０内にある第１複数のユーザ装備（ＵＥ）に、ネットワーク１３０への無線広帯域アクセスを提供する。第１複数のＵＥは中小企業（ＳＢ）に位置することができるＵＥ１１１；大企業（Ｅ）に位置することができるＵＥ１１２；ワイファイホットスポット（ＨＳ）に位置することができるＵＥ１１３；第１住居地域（Ｒ）に位置することができるＵＥ１１４；第２住居地域（Ｒ）に位置することができるＵＥ１１５；及び携帯電話、無線ラップトップ、無線ＰＤＡなどのようなモバイル装置（Ｍ）であれば良いＵＥ１１６を含む。ｇＮＢ１０３はｇＮＢ１０３のカバレッジ領域１２５内にある第２複数のＵＥに、ネットワーク１３０への無線広帯域アクセスを提供する。第２複数のＵＥはＵＥ１１５及びＵＥ１１６を含む。いくつかの実施例で、ｇＮＢ１０１−１０３のうちの一つ以上のｇＮＢは５Ｇ、ＬＴＥ、ＬＴＥ−Ａ、ＷｉＭＡＸ、ＷｉＦｉ又は他の無線通信技術を用いて互い通信し、ＵＥ１１１−１１６と通信することができる。
【００２２】
ネットワークタイプによって“基地局”又は“ＢＳ”という用語は、ネットワークに無線アクセスを提供するように構成されたコンポネント（又はコンポネント集合）、例えば、送信ポイント（ＴＰ）、送−受信ポイント（ＴＲＰ）、向上された基地局（ｅＮｏｄｅＢ又はｅＮＢ）、５Ｇ基地局（ｇＮＢ）、マクロセル、フェムトセル、ＷｉＦｉアクセスポイント（ＡＰ）又はその他の無線可能装置を指称することができる。基地局は一つ以上の無線通信プロトコル、例えば、５Ｇ  ３ＧＰＰ新しい無線インターフェース／アクセス（ＮＲ）、ＬＴＥ（ｌｏｎｇ  ｔｅｒｍ  ｅｖｏｌｕｔｉｏｎ）、ＬＴＥ−Ａ（ＬＴＥ−ａｄｖａｎｃｅｄ）、ＨＳＰＡ（ｈｉｇｈ  ｓｐｅｅｄ  ｐａｃｋｅｔ  ａｃｃｅｓｓ）、Ｗｉ−Ｆｉ８０２．１１ａ／ｂ／ｇ／ｎ／ａｃなどによって無線アクセスを提供することができる。便宜上、用語“ＢＳ”及び“ＴＲＰ”は本特許明細書で遠隔端末に対する無線アクセスを提供するネットワークインフラストラクチャーを示すために相互交換的に用いられる。さらに、ネットワークタイプによって、“ユーザ装備”又は“ＵＥ”という用語は“移動局”、“加入者局”、“遠隔端末”、“無線端末”、“受信ポイント”又は“ユーザ装置”のような任意のコンポネントを指称することができる。便宜上、用語“ユーザ装備”及び“ＵＥ”は、ＵＥが移動装置（例えば、携帯電話機又はスマートフォン）でも一般的に考慮される固定装置（例えば、デスクトップコンピューター又はベンディングマシン）でも、ＢＳに無線にアクセスする遠隔無線装備を指称することで本特許明細書では用いられる。
【００２３】
点線は、ただ例示及び説明の目的でおおよその原型で示されたカバレッジ領域１２０及び１２５の大略的な範囲を示す。ｇＮＢと連関されたカバレッジ領域、例えば、カバレッジ領域１２０及び１２５はｇＮＢの構成、及び自然及び人工障害物に係る無線環境の変化によって、不規則な形態を含む他の形態を有することができることを明確に理解しなければならない。
【００２４】
以下でより詳しく説明されるように、ＵＥ１１１−１１６のうちの一つ以上は進歩された無線通信システムにおいてデータ及び制御情報に対する受信信頼性のための回路、プログラミング又はこれらの組み合せを含む。特定実施例で、一つ以上のｇＮＢ１０１−１０３は進歩された無線通信システムにおいて効率的に減少された電力消費のための回路、プログラミング、又はこれらの組み合せを含む。
【００２５】
図１が無線ネットワークの一例を示されだが、多様な変化が図１に対して行われることができる。例えば、無線ネットワークは任意の適切な配列で任意の個数のｇＮＢ及び任意の個数のＵＥを含むことができる。また、ｇＮＢ１０１は任意の個数のＵＥと直接通信し、このＵＥにネットワーク１３０への無線広帯域アクセスを提供することができる。これと類似に、各ｇＮＢ１０２−１０３はネットワーク１３０と直接通信し、ＵＥにネットワーク１３０への直接無線広帯域アクセスを提供することができる。また、ｇＮＢ１０１、１０２、及び／又は１０３は外部電話ネットワーク又は他のタイプのデータネットワークのような他の又は追加の外部ネットワークへのアクセスを提供することができる。
【００２６】
図２は、本開示の実施例による、例示的ｇＮＢ１０２を示す図面である。図２に示されたｇＮＢ１０２の実施例はただ説明のためのことであり、図１のｇＮＢ１０１及び１０３は同一又は類似の構成を有することができる。しかし、ｇＮＢは各種の多様な構成からなり、図２はｇＮＢに対する任意の特定具現で本開示の範囲を制限しない。
【００２７】
図２に示されたように、ｇＮＢ１０２は複数のアンテナ２０５ａ−２０５ｎ、複数のＲＦ送受信機２１０ａ−２１０ｎ、送信（ＴＸ）処理回路２１５、及び受信（ＲＸ）処理回路２２０を含む。また、ｇＮＢ１０２はコントローラー／プロセッサ２２５、メモリー２３０、バックホール又はネットワークインターフェース２３５を含む。
【００２８】
ＲＦ送受信機２１０ａ−２１０ｎは、アンテナ２０５ａ−２０５ｎから、ネットワーク１００内でＵＥによって送信される信号のような内向（ｉｎｃｏｍｉｎｇ）ＲＦ信号を受信する。ＲＦ送受信機２１０ａ−２１０ｎは内向ＲＦ信号をダウン変換（ｄｏｗｎ−ｃｏｎｖｅｒｔ）し、ＩＦ又は基底帯域信号を生成する。ＩＦ又は基底帯域信号は、基底帯域又はＩＦ信号をフィルタリングし、デコーディングし、及び／又はデジタル化することによって処理された基底帯域信号を生成するＲＸ処理回路２２０に送信される。ＲＸ処理回路２２０はこの処理された基底帯域信号を、追加の処理のためにコントローラー／プロセッサ２２５に送信する。
【００２９】
ＴＸ処理回路２１５は、コントローラー／プロセッサ２２５からアナログ又はデジタルデータ（例えば、音声データ、ウェブデータ、電子メール、又は双方向ビデオゲームデータ）を受信する。ＴＸ処理回路２１５は、外向（ｏｕｔｇｏｉｎｇ）基底帯域データをエンコーディング、マルチプレクシング 、及び／又はデジタル化し、処理された基底帯域又はＩＦ信号を生成する。ＲＦ送受信機２１０ａ−２１０ｎはＴＸ処理回路２１５から、外向処理された基底帯域又はＩＦ信号を受信し、その基底帯域又はＩＦ信号を、アンテナ２０５ａ−２０５ｎを介して送信されるＲＦ信号でアップ変換する。
【００３０】
コントローラー／プロセッサ２２５はｇＮＢ１０２の全般的な動作を制御する一つ以上のプロセッサ又は他の処理装置を含むことができる。例えば、コントローラー／プロセッサ２２５は、よく知られた原理によってＲＦ送受信機２１０ａ−２１０ｎ、ＲＸ処理回路２２０、及びＴＸ処理回路２１５によって順方向チャンネル信号の受信及び逆方向チャンネル信号の送信を制御することができる。コントローラー／プロセッサ２２５はより進歩された無線通信機能のような追加機能もサポートすることができる。例えば、コントローラー／プロセッサ２２５は複数のアンテナ２０５ａ−２０５ｎからの外向信号が望む方向に効果的に操るために異なるように加重処理されるビームフォーミング又は指向性ラウティング動作をサポートすることができる。多様な他の機能のうちの任意の機能がコントローラー／プロセッサ２２５によってｇＮＢ１０２でサポートされることができる。
【００３１】
また、コントローラー／プロセッサ２２５はメモリー２３０に常住するプログラム及び他のプロセス、例えば、ＯＳを行うことができる。コントローラー／プロセッサ２２５は実行プロセスによる要求によりデータをメモリー２３０内又は外部に移動させることができる。
【００３２】
また、コントローラー／プロセッサ２２５はバックホール又はネットワークインターフェース２３５にカップリングされる。バックホール又はネットワークインターフェース２３５は、ｇＮＢ１０２がバックホール接続を介して又はネットワークを介して他の装置又はシステムと通信することができるようにする。インターフェース２３５は任意の適切な有線又は無線接続を通じる通信をサポートすることができる。例えば、ｇＮＢ１０２がセルラ通信システム（例えば、５Ｇ、ＬＴＥ、又はＬＴＥ−Ａをサポートすること）の一部として具現される場合、インターフェース２３５は、ｇＮＢ１０２が有線又は無線バックホール接続を介して他のｇＮＢと通信することが可能にすることができる。ｇＮＢ１０２がアクセスポイントとして具現される場合、インターフェース２３５は、ｇＮＢ１０２が有線又は無線ローカル領域ネットワークを介して、若しくは有線又は無線接続を介してより大きいネットワーク（例えば、インターネット）で送信することを可能とする。インターフェース２３５は有線又は無線接続、例えば、イーサネット又はＲＦ送受信機を通じる通信をサポートする任意の適切な構造を含む。
【００３３】
メモリー２３０はコントローラー／プロセッサ２２５にカップリングされる。メモリー２３０の一部はＲＡＭを含むことができ、メモリー２３０の他の一部はフラッシュメモリー又は他のＲＯＭを含むことができる。
【００３４】
図２がｇＮＢ１０２の一例を図示しているが、多様な変化が図２に対して行われることができる。例えば、ｇＮＢ１０２は図２に示された各コンポネントに対する任意の個数を含むことができる。一特定例として、アクセスポイントは多数のインターフェース２３５を含むことができ、コントローラー／プロセッサ２２５は異なるネットワーク住所の間でデータをラウティングするラウティング機能をサポートすることができる。他の特定例として、単一インスタンスのＴＸ処理回路２１５及び単一インスタンスのＲＸ処理回路２２０を含むことで図示されているが、ｇＮＢ１０２はそれぞれに対する複数のインスタンスを含むことができる（例えば、ＲＦ送受信機当たり一つ）。また、図２の各種コンポネントが組み合せたり、より細分化されたり、省略されることができ、特定必要により追加のコンポネントが付加されることもできる。
【００３５】
図３は、本開示の実施例による、例示的ＵＥ１１６を示す図面である。図３に示されたＵＥ１１６の実施例はただ説明のためのことであり、図１のＵＥ１１１−１１５は同一又は類似の構成を有することができる。しかし、ＵＥは各種の多様な構成からなり、図３はＵＥに対する任意の特定具現で本開示の範囲を制限しない。
【００３６】
図３に示されたように、ＵＥ１１６はアンテナ３０５、無線周波数（ｒａｄｉｏ  ｆｒｅｑｕｅｎｃｙ、ＲＦ）送受信機３１０、ＴＸ処理回路３１５、マイクロフォン３２０、及び受信（ＲＸ）処理回路３２５を含む。また、ＵＥ１１６はスピーカー３３０、プロセッサ３４０、入／出力（Ｉ／Ｏ）インターフェース（ＩＦ）３４５、タッチスクリーン３５０、ディスプレー３５５、及びメモリー３６０を含む。メモリー３６０はＯＳ３６１及び一つ以上のアプリケーション３６２を含む。
【００３７】
ＲＦ送受信機３１０はネットワーク１００のｇＮＢによって送信される内向ＲＦ信号をアンテナ３０５から受信する。ＲＦ送受信機３１０は内向ＲＦ信号をダウン−変換し、中間周波数（ｉｎｔｅｒｍｅｄｉａｔｅ  ｆｒｅｑｕｅｎｃｙ、ＩＦ）又は基底帯域信号を生成する。ＩＦ又は基底帯域信号は、その基底帯域又はＩＦ信号をフィルタリングし、デコーディングし、及び／又はデジタル化することによって処理された基底帯域信号を生成するＲＸ処理回路３２５へ送信される。ＲＸ処理回路３２５はその処理された基底帯域信号を、スピーカー３３０へ送信するか（例えば、音声データ）、又は追加処理のためにプロセッサ３４０へ送信する（例えば、ウェブブラウジングデータ）。
【００３８】
ＴＸ処理回路３１５はマイクロフォン３２０からアナログ又はデジタル音声データを受信するか又はプロセッサ３４０から他の外向基底帯域データ（例えば、ウェブデータ、電子メール、又は双方向ビデオゲームデータ）を受信する。ＴＸ処理回路３１５はその外向基底帯域データをエンコーディング、マルチプレクシング、及び／又はデジタル化し、処理された基底帯域又はＩＦ信号を生成する。ＲＦ送受信機３１０はＴＸ処理回路３１５から外向処理された基底帯域又はＩＦ信号を受信し、その基底帯域又はＩＦ信号を、アンテナ３０５を介して送信されるＲＦ信号でアップ変換する。
【００３９】
プロセッサ３４０は一つ以上のプロセッサ又は他の処理装置を含むことができ、メモリー３６０に記憶されたＯＳ３６１を行うことによってＵＥ１１６の全般的な動作を制御することができる。例えば、プロセッサ３４０はよく知られた原理によってＲＦ送受信機３１０、ＲＸ処理回路３２５、及びＴＸ処理回路３１５によって順方向チャンネル信号の受信及び逆方向チャンネル信号を送信を制御することができる。いくつかの実施例で、プロセッサ３４０は少なくとも一つのマイクロプロセッサー又はマイクロコントローラーを含む。
【００４０】
プロセッサ３４０はさらにビーム管理のためのプロセスのようなメモリー３６０に常住する他のプロセス及びプログラムを行うことができる。プロセッサ３４０は実行プロセスによる要求によりメモリー３６０内又は外部にデータを移動することができる。いくつかの実施例で、プロセッサ３４０はＯＳ３６１に基づいて又はｇＮＢ又はオペレーターから受信された信号によってアプリケーション３６２を行うように構成される。さらに、プロセッサ３４０は、ラップトップコンピューター及び携帯用コンピューターのような他の装置に接続される能力をＵＥ１１６に提供するＩ／Ｏインターフェース３４５にカップリングされている。Ｉ／Ｏインターフェース３４５はこの周辺機器とプロセッサ３４０の間の通信経路である。
【００４１】
また、プロセッサ３４０はタッチスクリーン３５０及びディスプレー３５５にカップリングされる。ＵＥ１１６のオペレーターはタッチスクリーン３５０を用いてＵＥ１１６にデータを入力することができる。ディスプレー３５５は例えば、ウェブサイトからのテキスト及び／又は少なくとも制限されたグラフィックをレンダリングすることができる液晶表示装置、発光ダイオードディスプレー、又は他のディスプレーであれば良い。
【００４２】
メモリー３６０はプロセッサ３４０にカップリングされる。メモリー３６０の一部はランダムアクセスメモリー（ＲＡＭ）を含むことができ、メモリー３６０の他の一部はフラッシュメモリー又は他の判読専用メモリー（ＲＯＭ）を含むことができる。
【００４３】
図３がＵＥ１１６の一例を図示しているが、多様な変化が図３に対して行われることができる。例えば、図３の各種コンポネントは組み合せたり、より細分化されたり、省略されることができ、特定必要により追加コンポネントが付加されることもできる。一特定例として、プロセッサ３４０は複数のプロセッサ、例えば一つ以上の中央処理ユニット（ＣＰＵ）及び一つ以上のグラフィック処理ユニット（ＧＰＵ）に分割されることができる。さらに、図３がモバイル電話機やスマートフォンのように構成されたＵＥ１１６を図示しているが、ＵＥは他のタイプのモバイル又は固定装置として動作するように構成されることもできる。
【００４４】
通信システムは、基地局又は１つ以上の送信ポイントからＵＥへの送信を示すダウンリンク（ＤＬ）及びＵＥで基地局又は１つ以上の受信ポイントへの送信を示すアップリンク（ＵＬ）を含む。
【００４５】
４Ｇ通信システムの構築以後の増加する無線データトラフィック需要を満たすために、改善された５Ｇ又はｐｒｅ−５Ｇ通信システムを開発するための努力が行われている。このような理由で、５Ｇ又はｐｒｅ−５Ｇ通信システムはさらに‘ビヨンド(Ｂｅｙｏｎｄ)４Ｇネットワーク’又は‘ポスト(Ｐｏｓｔ)ＬＴＥシステム’と呼ばれている。５Ｇ無線通信システムはより高いデータ送信率を達成するためにより高い周波数(ｍｍＷａｖｅ)帯域(例えば、６０ＧＨｚ帯域)で具現されていることで見なされる。無線波の伝播損失を減らし、送信距離を増加させるために、５Ｇ無線通信システムではビームフォーミング（ｂｅａｍｆｏｒｍｉｎｇ）、巨大配列多重入出力（ｍａｓｓｉｖｅ  ＭＩＭＯ）、全次元多重入出力（Ｆｕｌｌ  Ｄｉｍｅｎｓｉｏｎａｌ  ＭＩＭＯ、ＦＤ−ＭＩＭＯ）、アレイアンテナ（ａｒｒａｙ ａｎｔｅｎｎａ）、アナログビームフォーミンググ（ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムネットワーク改善のために５Ｇ通信システムでは改善された小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ、ｃｌｏｕｄ ＲＡＮ)、超高密度ネットワーク(ｕｌｔｒａ−ｄｅｎｓｅ ｎｅｔｗｏｒｋ)、Ｄ２Ｄ(Ｄｅｖｉｃｅ ｔｏ Ｄｅｖｉｃｅ)通信、無線バックホール(ｗｉｒｅｌｅｓｓ ｂａｃｋｈａｕｌ)、移動ネットワーク(ｍｏｖｉｎｇ ｎｅｔｗｏｒｋ)、協力通信、ＣｏＭＰ(ｃｏｏｒｄｉｎａｔｅｄ ｍｕｌｔｉ−ｐｏｉｎｔ)、及び受信端干渉除去などの技術開発が行われている。
【００４６】
セルでのＤＬシグナリング又はＵＬシグナリングのための時間ユニットをスロットと言い、これは一つ以上のシンボルを含むことができる。シンボルは追加時間ユニットでも用いることができる。周波数（又は帯域幅（ＢＷ））ユニットをリソースブロック（ＲＢ）と言う。一つのＲＢは多数のサブキャリア（ＳＣ）を含む。例えば、スロットは１４個のシンボルを含み、１ミリー秒又は０．５ミリー秒の持続時間を有することができ、ＲＢは１８０ｋＨｚ又は３６０ｋＨｚのＢＷを有することができ、それぞれの１５ｋＨｚ又は３０ｋＨｚのＳＣの間の間隔を有する１２個のＳＣを含むことができる。
【００４７】
ＤＬ信号は情報コンテンツを伝達するデータ信号、ＤＬ制御情報（ＤＣＩ）フォーマットを伝達する制御信号及び基準信号（ＲＳ）を含む。ｇＮＢはそれぞれの物理的ＤＬ共有チャンネル（ＰＤＳＣＨ）又は物理的ＤＬ制御チャンネル（ＰＤＣＣＨ）を介してデータ情報（例えば、送信ブロック）又はＤＣＩフォーマットを送信することができる。ｇＮＢはチャンネル状態情報 ＲＳ（ＣＳＩ−ＲＳ）及び復調 ＲＳ（ＤＭＲＳ）を含む多くの類型のＲＳのうちの一つ以上を送信することができる。ＣＳＩ−ＲＳはＵＥがチャンネル状態情報（ＣＳＩ）を測定するか移動性サポートに係る測定のような他の測定を行うためのことである。ＤＭＲＳは各ＰＤＣＣＨ又はＰＤＳＣＨのＢＷでだけ送信されることができ、ＵＥはＤＭＲＳを用いてデータを復調するか情報を制御することができる。
【００４８】
ＵＬ信号はさらに情報コンテンツを伝達するデータ信号、ＵＬ制御情報を伝達する制御信号及びＲＳを含む。ＵＥはそれぞれのＰＵＳＣＨ(ｐｈｙｓｉｃａｌ ＵＬ ｓｈａｒｅｄ ｃｈａｎｎｅｌ)又はＰＵＣＣＨ(ｐｈｙｓｉｃａｌ ＵＬ ｃｏｎｔｒｏｌ ｃｈａｎｎｅｌ)を介してデータ情報又はＵＣＩを送信する。ＵＥがデータ情報とＵＣＩを同時に送信する場合、ＵＥはＰＵＳＣＨでいずれもを多重化するか、或いはそれぞれのＰＵＳＣＨ及びＰＵＣＣＨで個別的に送信することができる。ＵＣＩはＵＥによるデータ送信ブロック(ＴＢ)の正確な又は不正確な検出を示すＨＡＲＱ−ＡＣＫ(ｈｙｂｒｉｄ ａｕｔｏｍａｔｉｃ ｒｅｐｅａｔ ｒｅｑｕｅｓｔ ａｃｋｎｏｗｌｅｄｇｅｍｅｎｔ)情報、ＵＥが自分のバッファーにデータを有しているか否かを示すスケジューリングリクエスト(ＳＲ)、及びｇＮＢにＵＥに対するＰＤＳＣＨ又はＰＤＣＣＨ送信用の適切なパラメーターを選択することができるＣＳＩ報告を含む。
【００４９】
ＵＥからのＣＳＩレポートはＵＥが予め決定されたＢＬＥＲ（ｐｒｅｄｅｔｅｒｍｉｎｅｄ ｂｌｏｃｋ ｅｒｒｏｒ ｒａｔｅ）（例えば、１０％ＢＬＥＲ）でデータＴＢを検出するためのＭＣＳ（Ｍｏｄｕｌａｔｉｏｎ ａｎｄ Ｃｏｄｉｎｇ Ｓｃｈｅｍｅ）をｇＮＢに通知するチャンネル品質インジケーター（ＣＱＩ）、ＵＥにシグナリングをプリーコーディングする方法をｇＮＢに通知するプリーコーディングマトリックスインジケーター（ＰＭＩ）、及びＰＤＳＣＨに対する送信ランクを示すランクインジケーター（ＲＩ）を含む。ＵＬ ＲＳはＤＭＲＳ及びサウンディングＲＳ（ＳＲＳ）を含む。ＤＭＲＳはそれぞれのＰＵＳＣＨ又はＰＵＣＣＨ送信のＢＷでだけ送信される。ｇＮＢはＤＭＲＳを用いてそれぞれのＰＵＳＣＨ又はＰＵＣＣＨで情報を復調することができる。ＳＲＳがＵＥによって送信されることによってｇＮＢにＵＬＣＳＩを提供し、ＴＤＤ又はフレキシブルデュプレックスシステムの場合、ＤＬ送信のためのＰＭＩも提供する。ＵＬ ＤＭＲＳ又はＳＲＳ送信は例えば、ＺＣ（Ｚａｄｏｆｆ−Ｃｈｕ）シーケンス又は一般的にはＣＡＺＡＣシーケンスの送信に基盤することができる。
【００５０】
ＤＬ送信及びＵＬ送信はＤＦＴ−拡散−ＯＦＤＭと知られたＤＦＴプリーコーディングを用いる変形を含む直交周波数分割多重化（ＯＦＤＭ）波形を基盤とすることができる。
【００５１】
図４は、本開示の実施例によるＯＦＤＭを用いる例示的な送信機構造４００を示す図面である。図４に示された送信機構造４００の実施例はただ例示のためのことである。図４に示された一つ以上の構成要素は言及された機能を行うように構成された特殊回路で具現されることができるか、一つ以上の構成要素は言及された機能を行うための命令語を行う一つ以上のプロセッサによって具現されることができる。他の実施例が本開示の範囲を逸脱せずに用いられる。
【００５２】
ＤＣＩビット又はデータビットのような情報ビット４１０がエンコーダー４２０によってエンコーディングされ、レートマッチング器４３０によって割り当てられた時間／周波数リソースにレートマッチングされ、変調器４４０によって変調される。次に、変調されたエンコーディングシンボルとＤＭＲＳ又はＣＳＩ−ＲＳ４５０がＳＣマッピングユニット４６５によってＳＣ４６０にマッピングされ、逆高速フーリエ変換（ＩＦＦＴ）がフィルター４７０によって行われ、ＣＰ挿入ユニット４８０によってサイクリックプレフィックスＣＰが追加され、結果信号がフィルター４９０によってフィルタリングされて無線周波数（ＲＦ）ユニット４９５によって送信される。
【００５３】
図５は、本開示の実施例によるＯＦＤＭを用いる例示的な受信機構造５００を示す図面である。図５に示された受信機構造５００の実施例はただ説明のためのことである。図５に示された一つ以上の構成要素は言及された機能を行うように構成された特殊回路で具現されることができるか、又は一つ以上の構成要素は言及された機能を行うための命令語を行う一つ以上のプロセッサによって具現されることができる。他の実施例が本開示の範囲を逸脱せずに用いられる。
【００５４】
受信信号５１０がフィルター５２０によってフィルタリングされ、ＣＰ除去ユニットがＣＰ５３０を除去し、フィルター５４０が高速フーリエ変換（ＦＦＴ）を適用し、ＳＣディマッピングユニット５５０がＢＷ選択器ユニット５５５によって選択されたＳＣをディマッピングし、受信シンボルがチャンネル推定器及び復調器ユニット５６０によって復調され、レートデマッチング器５７０がレートマッチングを復元し、さらにデコーダー５８０が結果ビットをデコーディングして情報ビット５９０を提供する。
【００５５】
ＵＥは一般的にスロットでそれぞれの候補ＤＣＩフォーマットをデコーディングするためにそれぞれの潜在的なＰＤＣＣＨ受信（ＰＤＣＣＨ候補）に対して多くの候補位置をモニタリングする。この位置は各ＤＣＩフォーマットに対する探索空間によって決定される。ＰＤＣＣＨ候補をモニタリングすることはＵＥが受信するように構成されたＤＣＩフォーマットによってＰＤＣＣＨ候補を受信してデコーディングすることを意味する。ＤＣＩフォーマットはＵＥがＤＣＩフォーマットの正確な検出を確認するようにＣＲＣ（Ｃｙｃｌｉｃ Ｒｅｄｕｎｄａｎｃｙ Ｃｈｅｃｋ）ビットを含む。ＤＣＩフォーマットタイプはＣＲＣビットをスクランブルするＲＮＴＩ（ｒａｄｉｏ ｎｅｔｗｏｒｋ ｔｅｍｐｏｒａｒｙ ｉｄｅｎｔｉｆｉｅｒ）によって識別される。ＰＤＳＣＨ又はＰＵＳＣＨを単一ＵＥにスケジューリングするＤＣＩフォーマットの場合、ＲＮＴＩはＣ−ＲＮＴＩ（Ｃｅｌｌ ＲＮＴＩ）であってもよく、ＵＥ識別子の役目をする。
【００５６】
例えば、システム情報（ＳＩ）を伝達するＰＤＳＣＨをスケジューリングするＤＣＩフォーマットの場合、ＲＮＴＩはＳＩ−ＲＮＴＩであれば良い。ＲＡＲ（Ｒａｎｄｏｍ Ａｃｃｅｓｓ Ｒｅｓｐｏｎｓｅ）を提供するＰＤＳＣＨをスケジューリングするＤＣＩフォーマットの場合、ＲＮＴＩはＲＡ−ＲＮＴＩであれば良い。ＵＥがサービングｇＮＢとＲＲＣ接続を確立する前に単一ＵＥに対するＰＤＳＣＨ又はＰＵＳＣＨをスケジューリングするＤＣＩフォーマットの場合、ＲＮＴＩは臨時Ｃ−ＲＮＴＩ（ＴＣ−ＲＮＴＩ）であれば良い。ＵＥグループにＴＰＣ命令を提供するＤＣＩフォーマットの場合、ＲＮＴＩはＴＰＣ−ＰＵＳＣＨ−ＲＮＴＩ又はＴＰＣ−ＰＵＣＣＨ−ＲＮＴＩであれば良い。各ＲＮＴＩタイプはＲＲＣシグナリングのような上位階層シグナリングを介してＵＥに構成されることができる。ＵＥへのＰＤＳＣＨ受信をスケジューリングするＤＣＩフォーマットはＤＬ ＤＣＩフォーマット又はＤＬ割り当てとも言い、ＵＥからＰＵＳＣＨ送信をスケジューリングするＤＣＩフォーマットはＵＬＤＣＩフォーマット又はＵＬグラントとも言う。
【００５７】
ＰＤＣＣＨ送信が物理的ＲＢ（ＰＲＢ）のセット内にあり得る。ｇＮＢはＰＤＣＣＨ受信のために、制御リソースセット（ＣＯＲＥＳＥＴ）とも呼ばれる一つ以上のＰＲＢセットをＵＥに構成することができる。ＰＤＣＣＨ受信は制御リソースセットに含まれた制御チャンネル要素（ＣＣＥ）で行われることができる。ＵＥはユニキャストＰＤＳＣＨ受信又はＰＵＳＣＨ送信をスケジューリングするためにＵＥ特定ＲＲＣシグナリングによってＵＥに構成されたＲＮＴＩ（例えば、Ｃ−ＲＮＴＩ）によってスクランブリングされたＣＲＣを有するＤＣＩフォーマットと連関されたＰＤＣＣＨ候補に対するＵＥ特定探索空間（ＵＳＳ）、及び他のＲＮＴＩによってスクランブリングされるＣＲＣを有するＤＣＩフォーマットと連関されたＰＤＣＣＨ候補に対する共通探索空間（ＣＳＳ）のような探索空間を基盤でＰＤＣＣＨ受信のためのＣＣＥを決定する。ＵＥに対するＰＤＣＣＨ送信に用いられることができるＣＣＥのセットがＰＤＣＣＨ候補位置を定義する。制御リソースセットの特性はＰＤＣＣＨ受信のためのＤＭＲＳアンテナポートの疑似コロケーション（ｑｕａｓｉ ｃｏ−ｌｏｃａｔｉｏｎ）情報を提供するＴＣＩ（Ｔｒａｎｓｍｉｓｓｉｏｎ Ｃｏｎｆｉｇｕｒａｔｉｏｎ Ｉｎｄｉｃａｔｏｒ）状態である。
【００５８】
図６は、本開示の実施例によるＤＣＩフォーマットに対する例示的なエンコーディングプロセス６００を示す図面である。図６に示されたエンコーディングプロセス６００の実施例はただ説明のためのことである。図６に示された一つ以上の構成要素は言及された機能を行うように構成された特殊回路で具現されることができるか、又は一つ以上の構成要素は言及された機能を行うための命令語を行う一つ以上のプロセッサによって具現されることができる。他の実施例が本開示の範囲を逸脱せずに用いられる。
【００５９】
ｇＮＢがそれぞれのＰＤＣＣＨで各ＤＣＩフォーマットを個別的にエンコーディングして送信する。ＵＥがＤＣＩフォーマットを識別することができるようにするためにＲＮＴＩがＤＣＩフォーマットコードワードのＣＲＣをマスキングする。例えば、ＣＲＣ及びＲＮＴＩは１６ビット又は２４ビットを含むことができる。（非−コーディングされた）ＤＣＩフォーマットビット６１０のＣＲＣがＣＲＣ計算ユニット６２０を用いて決定され、ＣＲＣビットとＲＮＴＩビット６４０の間に排他的ＯＲ（ＸＯＲ）演算ユニット６３０を用いてＣＲＣがマスキングされる。ＸＯＲ演算はＸＯＲ（０，０）＝０、ＸＯＲ（０，１）＝１、ＸＯＲ（１，０）＝１、ＸＯＲ（１，１）＝０で定義される。ＣＲＣ追加ユニット６５０を用いてマスキングされたＣＲＣビットがＤＣＩフォーマット情報ビットに追加される。エンコーダー６６０がチャンネルコーディング（例えば、テール−バイティングコンボリューショナルコーディング又はポーラーコーディング）を行い、その後にレートマッチング器６７０による割り当てリソースに対するレートマッチングがつながる。インタリービング及び変調ユニット６８０がＱＰＳＫのようなインタリービング及び変調を適用し、出力制御信号６９０が送信される。
【００６０】
図７は、本開示の実施例によるＵＥと共に用いるためのＤＣＩフォーマットに対する例示的なデコーディングプロセス７００を示す図面である。図７に示されたデコーディングプロセス７００の実施例はただ例示のためのことである。図７に示された一つ以上の構成要素は言及された機能を行うように構成された特殊回路で具現されることができるか、又は一つ以上の構成要素は言及された機能を行うための命令語を行う一つ以上のプロセッサによって具現されることができる。他の実施例が本開示の範囲を逸脱せずに用いられる。
【００６１】
受信された制御信号７１０が復調器及びデインターリーバ７２によって復調及び、デインタリーブされる。ｇＮＢ送信機で適用されたレートマッチングがレートマッチング器７３０によって復元され、結果ビットがデコーダー７４０によってデコーディングされる。デコーディング以後に、ＣＲＣ抽出器７５０がＣＲＣビットを抽出し、ＤＣＩフォーマット情報ビット７６０を提供する。ＤＣＩフォーマット情報ビットがＲＮＴＩ７８０（適用可能な場合）を用いてＸＯＲ演算によってデマスキングされ（７７０）、ユニット７９０によってＣＲＣ検査が行われる。ＣＲＣ検査が成功すると（チェックサムが０である）、ＤＣＩフォーマット情報ビットが有効なことで見なされる。ＣＲＣ検査が成功することができなければ、ＤＣＩフォーマット情報ビットが有効ではないことで見なされる。
【００６２】
サービングセルでＵＥに構成される各ＤＬ帯域幅部分（ＢＷＰ）に対し、ＵＥは多数の制御リソースセットをシグナリングする上位階層によって提供されることができる。各制御リソースセットに対して、ＵＥは次が提供される：制御リソースセットインデックスｐ；ＤＭ−ＲＳ（ｄｅｍｏｄｕｌａｔｉｏｎ ｒｅｆｅｒｅｎｃｅ−ｓｉｇｎａｌ）スクランブリングシーケンス初期化値；ＵＥが同一なＤＭ−ＲＳプリコーダーの使用を仮定することができる周波数で多数のＲＥＧに対するプリコーダーグラニュラリティ；多数の連続シンボル；リソースブロックセット；ＣＣＥ−ＲＥＧマッピングパラメーター；ＰＤＣＣＨ受信のためのＤＭ−ＲＳアンテナポートのＱＣＬ（ｑｕａｓｉ ｃｏ−ｌｏｃａｔｉｏｎ）情報を示す、アンテナポートＱＣＬセット中のアンテナポートＱＣＬ；及び制御リソースセットｐにおいてＰＤＣＣＨ受信で多重化されるＤＣＩフォーマット１＿１に対する送信構成表示（ｔｒａｎｓｍｉｓｓｉｏｎ ｃｏｎｆｉｇｕｒａｔｉｏｎ ｉｎｄｉｃａｔｉｏｎ、ＴＣＩ）フィールドの存在又は不存在に対して、示す。
【００６３】
サービングセルでＵＥに構成される各ＤＬ ＢＷＰに対し、ＵＥは多数の探索空間セットを上位階層によって提供され、ここで、多数の探索空間セット中の各探索空間セットに対し、ＵＥは次が提供される：探索空間セットインデックスｓ；探索空間セットｓと制御リソースセットｐの間の連関；ｋp,sスロットのＰＤＣＣＨモニタリング周期及びｏp,sスロットのＰＤＣＣＨモニタリングオフセット；ＰＤＣＣＨモニタリングのためのスロット内の制御リソースセットの第１シンボルを示す、スロット内のＰＤＣＣＨモニタリングパターン；ＣＣＥアグリゲーションレベルＬ当たりＰＤＣＣＨ候補個数
【数２５】
2022500933.tif 000027
及び探索空間セットｓが共通探索空間セットであるか又はＵＥ特定探索空間セットであるかの表示。
【００６４】
制御リソースセットｐと連関された探索空間セットｓに対し、アグリゲーションレベルＬに対するＣＣＥインデックス；キャリアインジケーターフィールド値ｎＣＩ（探索空間ともする）に対応するサービングセルに対するスロット
【数２６】
2022500933.tif 000028
内の探索空間セットのＰＤＣＣＨ候補
【数２７】
2022500933.tif 000029
に対応することは次の数式１のように与えられる：
【００６５】
【数２８】
2022500933.tif 000030
【００６６】
数式１で、任意の共通探索空間に対し、
【数２９】
2022500933.tif 000031
であり；ＵＥ特定探索空間に対して、
【数３０】
2022500933.tif 000032
ｐｍｏｄ３＝０に対し、Ａ０＝３９８２７、ｐｍｏｄ３＝１に対してＡ１＝３９８２９、ｐｍｏｄ３＝２に対し、Ａ２＝３９８３９及びＤ＝６５５３７であり；ｉ＝０，…，Ｌ−１であり；ＮCCE,pは制御リソースセットpから０からＮCCE,p−１まで番号が付けられたＣＣＥの数であり；ｎＣＩはＵＥにキャリアインジケーターフィールドが構成された場合、キャリアインジケーターフィールド値であり；そうではない場合、任意の共通探索空間に対し、ｎＣＩ＝０；
【数３１】
2022500933.tif 000033
を含み、ここで
【数３２】
2022500933.tif 000034
はＵＥがｎＣＩ及び探索空間セットｓに対応するサービングセルに対するアグリゲーションレベルＬをモニタリングするように構成されるＰＤＣＣＨ候補個数であり；任意の共通探索空間に対し、
【数３３】
2022500933.tif 000035
であり；ＵＥ特定探索空間に対し、
【数３４】
2022500933.tif 000036
は制御リソースセットｐ内の探索空間セットｓのＣＣＥアグリゲーションレベルＬに対して構成されたすべてのｎＣＩ値にかけた
【数３５】
2022500933.tif 000037
の最大値であり；さらにｎＲＮＴＩ対して用いられるＲＮＴＩ値。
【００６７】
ＵＥが４個のサービングセルより大きいキャリアアグリゲーション能力を示す場合、ＵＥが４個より多いセルに対するキャリアアグリゲーション動作のために構成される時のスロット当たり非重複ＣＣＥ及び最大ＰＤＣＣＨ候補個数をモニタリングすることができるＤＬセル個数
【数３６】
2022500933.tif 000038
をＵＥが示す。
【００６８】
ＵＥにＳＣＳ構成μを有するＤＬ ＢＷＰがある
【数３７】
2022500933.tif 000039
ダウンリンクセルが構成された場合
【数３８】
2022500933.tif 000040
ＵＥはスケジューリングセルの活性ＤＬ ＢＷＰで、各スケジューリングされたセルに対するスロット当たり
【数３９】
2022500933.tif 000041
より多い非重複ＣＣＥ又は
【数４０】
2022500933.tif 000042
より多いＰＤＣＣＨ候補をモニタリングする必要がなく、ここで
【数４１】
2022500933.tif 000043
及び
【数４２】
2022500933.tif 000044
はそれぞれのＵＥがＳＣＳ構成μのためにスロット当たりモニタリング／処理することができる最大ＰＤＣＣＨ候補個数及び最大非重複ＣＣＥ個数である。
【００６９】
ＵＥにＳＣＳ構成μを有するＤＬ ＢＷＰ
【数４３】
2022500933.tif 000045
があるダウンリンクセルが構成され
【数４４】
2022500933.tif 000046
活性化されたセルのＤＬ ＢＷＰが活性化されたセルの活性ＤＬ ＢＷＰであり、非活性化されたセルのＤＬ ＢＷＰが非活性化されたセルに対して上位階層によって提供されるインデックスを有するＤＬ ＢＷＰの場合、ＵＥは
【数４５】
2022500933.tif 000047
ダウンリンクセルからスケジューリングセルの活性ＤＬ ＢＷＰでスロット当たり
【数４６】
2022500933.tif 000048
より多い非重複ＣＣＥ又は
【数４７】
2022500933.tif 000049
より多いＰＤＣＣＨ候補をモニタリングする必要がない。
【００７０】
【数４８】
2022500933.tif 000050
【００７１】
ＰＵＣＣＨは多くのＰＵＣＣＨフォーマットのうちの一つによって送信されることができる。互いに異なるＵＣＩペイロードが関連ＵＣＩ ＢＬＥＲを改善するために互いに異なるＰＵＣＣＨ送信構造を必要とするからＰＵＣＣＨフォーマットは特定ＵＣＩペイロード範囲のために設計された構造に該当する。ＰＵＣＣＨ送信はさらにＰＵＣＣＨ送信のための空間ドメインフィルターを提供する送信構成インジケーター（ＴＣＩ）状態に係る。ＰＵＣＣＨはＨＡＲＱ−ＡＣＫ情報、ＳＲ又は周期的／半持続的のＣＳＩ及びこれらの組み合せを伝達するのに用いられる。
【００７２】
ＵＥはＤＬシステムＢＷ（ＤＬ ＢＷ）又はＵＬシステムＢＷ（ＵＬ ＢＷＰ）で多重帯域幅部分（ＢＷＰ）で作動するように構成されることができる。与えられた時間に、ただ一つのＤＬ ＢＷＰと、ただ一つのＵＬ ＢＷＰだけがＵＥに対して活性化される。したがって、ＤＬ受信が活性ＤＬ ＢＷＰで行われ、ＵＬ送信は活性ＵＬ ＢＷＰで行なわれる。さらに、一つより多いＤＬ ＢＷＰ又はＵＬ ＢＷＰが同時に活性化された後に一つより多いＤＬ受信又はＵＬ送信がそれぞれの一つより多いＤＬ ＢＷＰ又はＵＬ ＢＷＰで同時に発生することができる。ＰＤＣＣＨ受信のための探索空間セット構成又はＰＵＣＣＨ送信のためのＰＵＣＣＨリソースのような多様なパラメーターの構成がそれぞれのＢＷＰに対して個別的に提供されることができる。
【００７３】
ＢＷＰ動作の主な目的はＵＥの電力節減を可能とすることである。ＵＥが送信又は受信するデータを有している場合、大きいＢＷＰを用いることができ、例えば、短いモニタリング周期で２つ以上の探索空間セットを構成することができる。ＵＥが送信又は受信するデータを有していない場合、小さいＢＷＰを用いることができ、例えば、より長いモニタリング周期で単一探索空間セットを構成することができる。
【００７４】
ＵＥ電力節減のためのまた他のメカニズムはＵＥがサービングｇＮＢとＲＲＣ接続(例えば、ＲＲＣ＿ＣＯＮＮＥＣＴＥＤモード）を有する時の不連続受信（例えば、Ｃ−ＤＲＸ動作）を有する動作であれば良い。ＵＥがＲＲＣ＿ＣＯＮＮＥＣＴＥＤモードにある場合、ＵＥは“オンデュレーション（ｏｎ ｄｕｒａｔｉｏｎ）”及び“非活性タイマー（ｉｎａｃｔｉｖｉｔｙ ｔｉｍｅｒ）”パラメーターに係るＣ−ＤＲＸモードで動作する。“オンデュレーション”期間の間、ＵＥは構成された探索空間セットでＰＤＣＣＨをモニタリングする（ＤＣＩフォーマット検出試み）。ＵＥが“オンデュレーション”期間の間のＰＤＳＣＨ受信又はＰＵＳＣＨ送信をスケジューリングするＤＣＩフォーマットを検出する場合、ＵＥは“非活性タイマー”を開始して“非活性タイマー”が満了されてＵＥが電力節減のためにスリップモードに入るまでＰＤＣＣＨを継続モニタリングする。
【００７５】
“オンデュレーション”及び“非活性タイマー”の値に対する構成はサービングｇＮＢによって決定され、選好値に対するＵＥフィードバックがない。例えば、特定キャリア又はＢＷＰに対する電力レベル又は電力消費に基づいて、ＵＥは“オンデュレーション”及び“非活性タイマー”に対する値を提案することができる。例えば、バッテリー電力の低いＵＥは“オンデュレーション”期間に対してより大きい値を提案し、“非活性タイマー”に対してより小さい値を提案することができる。
【００７６】
大部分のＵＥモデム電力はデータトラフィックアプリケーションによってＰＤＣＣＨをモニタリングする時の消耗する場合が多いが、多くのＣ−ＤＲＸ期間でＵＥはＤＣＩフォーマットを検出することができず、 その上、ＵＥがＤＣＩフォーマットを検出するＣ−ＤＲＸ期間でも、非活性タイマーはＵＥが異なるＤＣＩフォーマットを検出すること無しに満了する。このような理由で、ＵＥは各Ｃ−ＤＲＸ期間が開始される時の自動でそのように行うか次のＣ−ＤＲＸ期間が開始されるまで又はＵＥが当該ＷＵＳを検出するまでＰＤＣＣＨモニタリングを中止する代りに、ＷＵＳ（ｗａｋｅ−ｕｐ ｓｉｇｎａｌｌｉｎｇ）又はＧＴＳ（ｇｏ−ｔｏ−ｓｌｅｅｐ）シグナリングの使用を考慮することによってＰＤＣＣＨをウエークアップしてモニタリングを開始するようにそれぞれＵＥに示されている。
【００７７】
特定周波数帯域場合、ＵＥは４個の受信機アンテナで動作をサポートしなければならない。このような多くの数の受信機アンテナはＵＥ電力消耗を増加させ、ＵＥが小さいデータパケットを受信するか、又はＵＥが良好なカバレッジにあるか、又はＵＥのバッテリー電力が低い場合に不必要であるか好ましくないこともある。直接又は間接的に好ましい個数の受信機アンテナに対するＵＥの推薦はさらに減少されたＵＥ電力消耗を促進することができる。
【００７８】
ＵＥ受信機アンテナ個数適応と類似に、ＵＥに対する活性化セカンダリーセル（ＳＣｅｌｌ）の個数がＵＥに対するバッファー状態によって適応されることができる。既存のネットワークはＭＡＣ階層シグナリングによるＳＣｅｌｌの活性化／非活性化をサポートするが、特にＳＣｅｌｌが活性化された以後にＣＳＩ測定及びフィードバックに対して物理的遅延の必要な場合が多く、このような理由のため、この機能はｇＮＢがＳＣｅｌｌを非活性化（後に活性化）するインセンティブがないからサービングｇＮＢによって使用されない場合が多い。代りに、サービングｇＮＢは一般的にＵＥへの送信のためのバッファーにデータがない場合にも活性化状態のＵＥに対して構成されるＳＣｅｌｌを維持する。
【００７９】
ＰＤＳＣＨ受信又はＰＵＳＣＨ送信の交差スロットスケジューリングさらにＵＥ電力節減を可能とするために考慮される。ＵＥはスケジューリングＰＤＣＣＨとスケジューリングされたＰＤＳＣＨ／ＰＵＳＣＨ受信／送信の間の遅延に表示される期間（それぞれのＫ０／Ｋ２で表示される）うちにライトスリップを行うことができる。しかし、電力節減期間は次のＰＤＣＣＨモニタリングオケージョンの開始によって制限される。ＵＥは現在Ｋ０／Ｋ２に係るタイマーが満了されるか否かに関わらず、次のＰＤＣＣＨモニタリングオケージョンが開始される限り、ライトスリップモードから一般活性モードに切り替えることができる。
【００８０】
ＮＲはＵＥが一つのＰＵＣＣＨ又はＰＵＳＣＨ送信で一連のＰＤＳＣＨ受信オケージョンに対するＨＡＲＱ−ＡＣＫ情報を提供する反静的（タイプ−１）及び動的（タイプ−２）ＨＡＲＱ−ＡＣＫコードブック決定をサポートする。これはＨＡＲＱ−ＡＣＫ情報を提供するためのＰＵＣＣＨ送信の数を減らすことによってＵＥが電力を節減することができるようにするし、非ペアリングスペクトラム動作の場合、ＤＬでの受信とＵＬでの送信の間の転換のためのオーバーヘッドを減少させる。半静的ＨＡＲＱ−ＡＣＫコードブックに対し、ＵＥはＨＡＲＱ−ＡＣＫ情報を有するＰＵＣＣＨ送信に対するスロットタイミング値セットＫ１によってＨＡＲＱ−ＡＣＫコードブック大きさを決定する。ＵＥはＤＣＩフォーマット１＿１に対し、ｄｌ＿ＤａｔａＴｏ＿ＵＬ＿ＡＣＫのような上位階層パラメーターによるスロットタイミング値セット Ｋ１が提供されることができる。
【００８１】
例えば、スロットタイミング値セットＫ１は０から１５又は３１範囲の値を有する８個の要素を含むことができる。しかし、スロットタイミング値の反静的構成は異なるデータトラフィック負荷に適応するのに効率的でないこともある。また、ＵＥ電力節減利得は異なるニューマロロジーに対してバランシングされない。例えば、スロットタイミング値に対して同一な構成を用いる場合、周波数範囲２（ＦＲ２−６ＧＨｚ以上のキャリア周波数）で動作するＵＥは、周波数範囲１（ＦＲ１−６ＧＨｚ未満のキャリア周波数）で動作するＵＥよりさらに多い電力消耗を要する。これはＨＡＲＱ−ＡＣＫ情報のより頻繁な送信と、ＦＲ２のような非ペアリングスペクトラム動作の場合、ＤＬでＵＬへの転換に対するオーバーヘッド増加によって発生する。
【００８２】
ＰＤＣＣＨ候補が占める非重複ＣＣＥの数を減らすために、数式１のような探索空間決定によって決定される、ネスト（ｎｅｓｔｅｄ）探索空間が用いられることができる。例えば、ネスト探索空間の場合、予め決定されたＰＤＣＣＨ候補に対する探索空間は数式１によって決定されることができ、残りＰＤＣＣＨ候補に対する探索空間は数式１又は一部他の構造を用いて予め決定されたＰＤＣＣＨ候補のＣＣＥのみを含むことができる。
【００８３】
例えば、予め決定されたＰＤＣＣＨ候補は最も大きいＣＣＥアグリゲーションレベルを有する（０ではない）ＰＤＣＣＨ候補であれば良い。例えば、予め決定されたＰＤＣＣＨ候補は最も多い数のＣＣＥを要することであればよく、例えば、４個のＣＣＥのアグリゲーションレベルを有する４個のＰＤＣＣＨ候補は、１個のＣＣＥのアグリゲーションレベルを有する１個のＰＤＣＣＨ候補によって必要な８個のＣＣＥより多い１６個のＣＣＥを要する。
【００８４】
ネスト探索空間と数式１による探索空間の間のトレードオフは、前者が非重複ＣＣＥの数を減少させて後者はＰＤＣＣＨ送信に対する遮断確率を減少させることである。したがって、ｇＮＢがＵＥに対するトレードオフの前者部分を優先順位に置くか又は後者部分を優先順位に置くか否かによってｇＮＢがＵＥに対する探索空間選択を調整するようにし、その上に、ｇＮＢがトレードオフの両方のいずれも部分を適用するようにする必要がある。
【００８５】
したがって、多数のＣ−ＤＲＸ期間の間又はＣ−ＤＲＸ期間内の多数のＰＤＣＣＨモニタリングオケージョンの間にＰＤＣＣＨ候補をモニタリングするか否かをＵＥに表示する必要がある。
【００８６】
送信及び受信のためのサービングｇＮＢ選好構成を表示するための手段をＵＥに提供するまた他の必要がある。
【００８７】
ＵＥが早いＳＣｅｌｌ活性化及び非活性化を行うようにするまた他の必要性がある。
【００８８】
ネットワーク動作に不利益を与えないながらＵＥ電力節減ができるようにするＵＥとサービングｇＮＢの間の通信のための新しい動作モードを設計するまた他の必要がある。
【００８９】
多数の活性ＳＣｅｌｌ及び対応するサブキャリア間隔構成に対する反静的及び動的ＨＡＲＱ−ＡＣＫコードブック決定のいずれもに対してスロットタイミング値セットＫ１を適応させるまた他の必要がある。
【００９０】
ＵＥがスロット当たりモニタリングすることが予想されるＰＤＣＣＨ候補の個数とＵＥがスロット当たりチャンネル推定を行うことができることが予想される非重複ＣＣＥの個数に対してＭＮ、ＳＮ及びＵＥが同一な理解を有するためのまた他の必要がある。
【００９１】
最後に、ＰＤＳＣＨ／ＰＵＳＣＨをスケジューリングするための処理時間を設定し、スケジューリングのための処理時間に対する動的適応と共にセカンダリーキャリアの活性化／非活性化を組み合わせる必要がある。
【００９２】
本開示は、ＬＴＥ（Ｌｏｎｇ Ｔｅｒｍ Ｅｖｏｌｕｔｉｏｎ）のような４Ｇ（４ｔｈ−ｇｅｎｅｒａｔｉｏｎ）通信システムを越してより高いデータレートをサポートするために提供されるｐｒｅ−５Ｇ又は５Ｇ通信システムに関する。本開示はＣ−ＤＲＸ期間の間の又はＣ−ＤＲＸ期間内のＰＤＣＣＨモニタリングオケージョンの間のＰＤＣＣＨ候補をモニタリングするか否かをＵＥに表示することに関する。本開示はさらに送信及び受信のためのサービングｇＮＢ選好構成を表示するための手段をＵＥに提供することに関する。本開示はさらにＵＥが速やかなＳＣｅｌｌ活性化及び非活性化を行うようにすることに関する。本開示はさらにネットワーク動作に不利益を与えないながらＵＥ電力節減ができるようにするＵＥとサービングｇＮＢの間の通信のための新しい動作モードを設計することに関する。
【００９３】
本開示はさらに多数の活性ＳＣｅｌｌ及び対応するサブキャリア間隔構成に対して半静的及び動的ＨＡＲＱ−ＡＣＫコードブック決定のいずれものためにスロットタイミング値Ｋ１セットを適応させることに関する。本開示はさらにＵＥがスロット当たりモニタリングすることが予想されるＰＤＣＣＨ候補の個数及びＵＥがスロット当たりチャンネル推定を行うことができることが予想される非重複ＣＣＥの個数に対してＭＮ、ＳＮ及びＵＥの間に同一な理解を確立することに関する。本開示はさらにＰＤＳＣＨ／ＰＵＳＣＨをスケジューリングするための処理時間を設定し、スケジューリングのための処理時間に対する動的適応と共にセカンダリーキャリアの活性化／非活性化を組み合わせることに関する。
【００９４】
一実施例で、多数のＣ−ＤＲＸサイクルの間のＰＤＣＣＨモニタリングをスキップするか、Ｃ−ＤＲＸサイクル内でＰＤＣＣＨモニタリングをスキップするか、多数のＣ−ＤＲＸサイクルに対するパラメーターを調整するようにＵＥに表示するためのシグナリング設計が提供される。
【００９５】
探索空間セットでＵＥがモニタリングする構成されたＰＤＣＣＨ候補個数に対する調整に対する表示がＤＣＩフォーマットによって提供されることができる。ＤＣＩフォーマットは共通探索空間で受信されるＰＤＣＣＨで多くのＵＥ（ＵＥ共通ＤＣＩフォーマット）によってデコーディングされることができるか、ＵＥ特定探索空間で受信されるＰＤＣＣＨでＵＥ特定したことであれば良い。もうＤＣＩフォーマットの構造及びＵＥによるＰＤＣＣＨモニタリングに係って提供する情報に対する内容の改善に対して説明する。
【００９６】
ＵＥ共通ＤＣＩフォーマットの場合、ＵＥにはＤＣＩフォーマットに対し、例えば、ＰＳ−ＲＮＴＩと指称されるＲＮＴＩと、ＤＣＩフォーマットに連続的なビット数を含むフィールドに対する位置が構成される。ＵＥには例えば、上位階層によって表示されることができる一つのセル又はセルグループに対応する一つの位置／フィールドが構成されることができるか、若しくはそれぞれの多重セル又は多重セルグループに対応する多重位置／フィールドが構成されることができる。簡略化のために、ＤＣＩフォーマットをＤＣＩフォーマットＰと言う。
【００９７】
ＵＥに対するＣ−ＤＲＸ期間当たりＰＤＣＣＨモニタリングの表示のために、ＵＥはＣ−ＤＲＸ期間が開始される時にだけ又はＣ−ＤＲＸ期間が開始される前に（例えば、Ｃ−ＤＲＸ期間が開始される１ｍｓｅｃ以前に）上位階層によって提供される一つ以上の時間／オケージョンである時のＤＣＩフォーマットＰに対するＰＤＣＣＨをモニタリングし、これによりＣ−ＤＲＸ期間の開始時にＤＣＩフォーマットＰによる表示を適用するに十分な処理時間をＵＥに提供してＣ−ＤＲＸ期間が開始される前に潜在的にＣＳＩ−ＲＳ測定を行ってＣＳＩ報告を提供する。
【００９８】
ＤＣＩフォーマットＰに対するＰＤＣＣＨ受信のためのＣＣＥアグリゲーションレベル当たりＰＤＣＣＨ候補個数をＵＥに構成するか、又はデコーディング作業数を減らし、ＤＣＩフォーマットＰのデコーディングを促進し、関連ＵＥ電力消耗を最小化するために、ＤＣＩフォーマットＰを有するＰＤＣＣＨをモニタリングするために一つ又は２つのＣＣＥアグリゲーションレベルをＵＥに構成することができ、ＣＣＥアグリゲーションレベルに対するＰＤＣＣＨ候補個数を２又は４のように予め決定された最大個数まで構成することができるか、又はシステム動作で定義することができる。ＤＣＩフォーマットＰを含むＰＤＣＣＨに対する一つ又は２つのＣＣＥアグリゲーションレベルがさらにシステム動作で定義されることができる。
【００９９】
フィールド内のビット数（ＵＥ特定ＤＣＩフォーマット又はＵＥ共通ＤＣＩフォーマット）は一つ以上であれば良い。１ビットの場合、この表示は、ＵＥが上位階層シグナリングによって予め提供される多くのＣ−ＤＲＸ期間で又は次のＣ−ＤＲＸ期間でＵＥがＰＤＣＣＨモニタリングをスキップするか否かであれば良い。例えば、“０”値はＰＤＣＣＨモニタリングスキップを示すことができ、“１”値は次のＣ−ＤＲＸ期間でのＰＤＣＣＨモニタリングを示すことができる。
【０１００】
多重ビットの場合、一実施例で、この表示は、ＵＥが上位階層によって予め提供される対応する値セットから“オンデュレーション”パラメーター及び“非活性タイマー”パラメーターに対する値を表示することによるＣ−ＤＲＸ期間のパラメーターに対する調整を含むことができる。この表示はさらにＰＤＳＣＨ受信又はＰＵＳＣＨ送信をスケジューリングするＤＣＩフォーマットを検出するためにＵＥがモニタリングするように構成されるＰＤＣＣＨ候補個数に対する調整を含むことができる。
【０１０１】
例えば、２ビットの場合、“００”値は次のＣ−ＤＲＸ期間にＰＤＣＣＨモニタリングをスキップするようにＵＥに表示することができ、“０１”、“１０”又は“１１”値はそれぞれの第１、第２、第３の“オンデュレーション、非活性タイマー”値のセットを表示することができ、ここで“オンデュレーション、非活性タイマー”値のセットは上位階層によってＵＥに予め提供されたものである。
【０１０２】
他の実施例で、この表示はＵＥが上位階層シグナリングによって予め提供されるかシステム動作で定義される、ＵＥがＰＤＣＣＨモニタリングをスキップするスロット個数セットからのＣ−ＤＲＸ期間のスロット個数であれば良い。例えば、２ビットの場合、“００”値はＣ−ＤＲＸ期間のすべてのスロットでＰＤＣＣＨをモニタリングすることをＵＥに表示することができ（すなわち、ＰＤＣＣＨモニタリングをスキップせず）、“０１”、“１０”又は“１１”値はＮ１、Ｎ２、又はＮ３スロットに対するＰＤＣＣＨモニタリングをスキップするようにＵＥにそれぞれに表示することができ、ここでＮ１、Ｎ２及びＮ３の値は上位階層によってＵＥに提供される。
【０１０３】
例えば、ＮスロットのＤＣＩフォーマットＰ受信周期及び２ビットの場合、“００”値はＣ−ＤＲＸ期間のすべてのスロットでＰＤＣＣＨをモニタリングすることをＵＥに表示することができ（すなわち、ＰＤＣＣＨモニタリングをスキップせず）、“０１”“１０”又は“１１”値は次のＮ個のスロット（ＤＣＩフォーマットＰ受信のスロットを含むか除外）の毎４番目のスロットで、次のＮ個のスロットの毎２番目のスロットで、又はすべての次のＮ個のスロットでＰＤＣＣＨモニタリングをスキップするようにそれぞれのＵＥに表示することができ、ここでＮは上位階層によってＵＥに提供されることができるかＣ−ＤＲＸ期間内の残っているすべてのスロットを含むことができる。ＵＥがＰＤＣＣＨモニタリングをスキップするＰＤＣＣＨモニタリングオケージョンの場合にも、ＵＥは相変らず非活性タイマーを増加させる。
【０１０４】
ＵＥはさらにＤＣＩフォーマットＰ受信のために周期を上位階層によって構成されることができ、ＵＥは次のＤＣＩフォーマットＰ受信に対応するＣ−ＤＲＸ期間までのすべてのＣ−ＤＲＸ期間に対する“オンデュレーション、非活性タイマー”値のセットに対して当該構成を適用する。ＵＥが当該モニタリングオケージョンでＤＣＩフォーマットＰを検出することができない場合、ＵＥはオンデュレーション及び非活性タイマーに対し、構成された値のうちの最大値を仮定する。これはＰＤＣＣＨモニタリングオケージョンがＤＣＩフォーマットＰに表示されることの上位セットとなり、ＵＥがｇＮＢからのＰＤＣＣＨ送信受信をミスしないように保障する。
【０１０５】
代案的に、ＵＥは“オンデュレーション、非活性タイマー”値の第１セットと同一な、構成された値セットから予め決定された値セットを仮定することができ、ＵＥがＤＣＩフォーマットＰを検出することができない場合、最大値と同一な適切な値を保障するようにするｇＮＢ具現まで可能であれば良い。交差キャリアスケジューリングの場合、同一なスケジューリングセルを有するそれぞれのスケジューリングされたセルに対応する各探索空間セットに対して同一なセットの“オンデュレーション、非活性タイマー”値が適用されることができる。
【０１０６】
図８は、本開示の実施例によってＵＥがＣ−ＤＲＸ期間の間のパラメーターを調整する方法８００のフローチャートを示す図面である。図８に示された方法８００の実施例はただ説明のためのことである。図８に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１０７】
上位階層シグナリングを用い、ｇＮＢは段階８１０でＤＣＩフォーマットＰに対するＲＮＴＩ、ＤＣＩフォーマットＰ受信に対する周期、ＤＣＩフォーマットＰに対するＤＲＸサイクル開始前のＰＤＣＣＨモニタリングのための一つ以上のオフセットを、そしてＤＣＩフォーマットＰの次の受信までのＣ−ＤＲＸ期間に対する“オンデュレーション”及び“非活性タイマー”パラメーターに対する値セットに対する構成を示すＤＣＩフォーマットＰのフィールドの位置をＵＥに構成する。ＵＥは段階８２０で構成された受信時間にＤＣＩフォーマットＰを検出したか否かを決定する。ＵＥがＤＣＩフォーマットＰを検出することができない場合、ＵＥは段階８３０で“オンデュレーション、非活性タイマー”値のセットに対し、構成された各値中の最大値を仮定する。ＵＥがＤＣＩフォーマットＰを検出する場合、ＵＥは段階８４０でＤＣＩフォーマットＰでＵＥに対する当該フィールドが表示する“オンデュレーション、非活性タイマー”値のセットによってＣ−ＤＲＸ期間でＰＤＣＣＨをモニタリングする。フィールドが“００”のような予め決定された値を示す場合、ＵＥはＤＣＩフォーマットＰに対する次のモニタリングオケージョンまですべてのＣ−ＤＲＸ期間の間のＰＤＣＣＨデコーディングをスキップすることができる。
【０１０８】
“オンデュレーション、非活性タイマー”値の各セットはＵＥが上位階層によって予め構成される探索空間セットのセットと連関されるように構成されることができる。例えば、ＵＥはＵＥ特定ＤＣＩフォーマットを伝達するＰＤＣＣＨ受信に対してＣ−ＤＲＸ期間で最大４個の探索空間セットをモニタリングするように構成されることができ、“オンデュレーション、非活性タイマー”値の第１、第２及び第３セットは、探索空間セットのセットの第１、第２及び第３サブセットと上位階層シグナリングによってそれぞれ連関されることができる。
【０１０９】
例えば、“オンデュレーション、非活性タイマー”値の第１セットは初めの２つの探索空間セット（構成手順で）と連関されることができ、“オンデュレーション、非活性タイマー”値の第２セットは初めの３つの探索空間セットと連関されることができ、“オンデュレーション、非活性タイマー”値の第３セットは４つの探索空間セットのいずれもと連関されることができる。
【０１１０】
“オンデュレーション、非活性タイマー”値の各セットはＵＥが上位階層によって予め構成されるＰＤＣＣＨ候補のパーセンテージ（又は割合）と連関されるように構成されることができる。例えば、ＵＥはＣ−ＤＲＸ期間内の多数の探索空間セットでＰＤＳＣＨ受信又はＰＵＳＣＨ送信のスケジューリングのためにＰＤＣＣＨ候補をモニタリングするように構成されることができる。“オンデュレーション、非活性タイマー”値の第１、第２、及び第３セットはそれぞれ上位階層シグナリングによって探索空間セット当たりＣＣＥアグリゲーションレベル毎に対するＰＤＣＣＨ候補個数の第１、第２及び第３のパーセンテージと連関されることができ、ここでパーセンテージが探索空間セットの各ＣＣＥアグリゲーションレベルに対するＰＤＣＣＨ候補の整数個数にならない場合、フロア（ｆｌｏｏｒ）関数又はシーリング（Ｃｅｉｌｉｎｇ）関数が適用されることができる。
【０１１１】
例えば、“オンデュレーション、非活性タイマー”値の第１セットは各探索空間セットでＣＣＥアグリゲーションレベル当たりすべてのＰＤＣＣＨ候補と連関されることができ、“オンデュレーション、非活性タイマー”値の第２セットは各探索空間セットのＣＣＥアグリゲーションレベル当たりＰＤＣＣＨ候補の２／３と連関されることができ、“オンデュレーション、非活性タイマー”値の第３セットは各探索空間セットのＣＣＥアグリゲーションレベル当たりＰＤＣＣＨ候補の１／３と連関されることができる。
【０１１２】
割合は常に１であれば良い第１の値を除いては以前の例のように予め決定される代わりに上位階層によって構成されることもできる。一代案として、探索空間セット当たりＣＣＥアグリゲーションレベル毎に対するＰＤＣＣＨ候補のそれぞれの第１、第２及び第３割合と連関される“オンデュレーション、非活性タイマー”値の第１、第２及び第３のセット代りに、探索空間セット当たりＣＣＥアグリゲーションレベル毎に対するＰＤＣＣＨ候補の３つの個別構成が提供されることができ、“オンデュレーション、非活性タイマー”値の３個の当該セットと連関されることができる。
【０１１３】
ＵＥが対応するＰＤＣＣＨモニタリングオケージョンでＤＣＩフォーマットＰを検出することができない場合、ＵＥは各探索空間セットに対するＣＣＥアグリゲーションレベル当たりＰＤＣＣＨ候補個数に対する、ＣＣＥアグリゲーションレベル当たり及び探索空間セット当たり最大候補個数を有する構成（又は１の割合値に対応する構成）のような、第１の構成によってデフォルト設定によって当該Ｃ−ＤＲＸ期間の間のＰＤＣＣＨをモニタリングする。
【０１１４】
図９は、本開示の実施例によってＵＥがＣＣＥアグリゲーションレベル当たり及び探索空間セット当たりＰＤＣＣＨ候補個数を調整する方法９００のフローチャートを示す図面である。図９に示された方法９００の実施例はただ説明のためのことである。図９に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１１５】
上位階層シグナリングを用い、ｇＮＢは段階９１０で各探索空間セットに対するＣＣＥアグリゲーションレベル当たり、構成されたＰＤＣＣＨ候補個数に対する、各“オンデュレーション、非活性タイマー”値セットとＰＤＣＣＨ候補の割合の間の連関をＵＥに構成する。
【０１１６】
ＵＥは段階９２０で、構成された受信時間にＤＣＩフォーマットＰを検出するか否かを決定する。ＵＥがＤＣＩフォーマットＰを検出することができない場合、ＵＥは段階９３０で各探索空間セットに対するＣＣＥアグリゲーションレベル当たり構成されるＰＤＣＣＨ候補個数を仮定する。ＵＥがＤＣＩフォーマットＰを検出する場合、ＵＥは例えば、図８に説明されたように“オンデュレーション、非活性タイマー”値のセットを決定し、ＰＤＣＣＨ候補の割合との当該連関に基づいて、ＵＥは段階９４０で各探索空間セットに対するＣＣＥアグリゲーションレベル当たりＰＤＣＣＨ候補個数を決定する。
【０１１７】
ＤＣＩフォーマットＰに係るオーバーヘッドを最小化するか又はＤＣＩフォーマットＰが処理することができるＵＥ個数又はＤＣＩフォーマットＰが提供することができる情報の量を増やすために、ＤＣＩフォーマットＰに対するＣＲＣ長さは、ＰＤＳＣＨ受信又はＰＵＳＣＨ送信をスケジューリングするＤＣＩフォーマットのような他のＤＣＩフォーマットに対するＣＲＣ長さよりもさらに小さいことがある。
【０１１８】
例えば、ＤＣＩフォーマットＰに対するＣＲＣ長さは８ビット又は１６ビットとなることができる一方、他のＤＣＩフォーマットに対するＣＲＣ長さは２４ビットとなることができる。サービングｇＮＢがＤＣＩフォーマットＰを送信せずＵＥが誤ったＣＲＣ検査によってＤＣＩフォーマットＰを過ち検出する場合、最悪の結果はＵＥがＰＤＣＣＨをモニタリングすることでサービングｇＮＢが予想するＣ−ＤＲＸ期間の間のＵＥがＰＤＣＣＨをモニタリングしないこともあり、ｇＮＢがＵＥにＰＤＳＣＨ受信をスケジューリングする場合、当該ＨＡＲＱ−ＡＣＫ情報を伝達するＰＵＣＣＨのＤＴＸ検出を介してこれを実現するか又はｇＮＢがＵＥにＰＵＳＣＨ送信をスケジューリングする場合、ＰＵＳＣＨ受信のＤＴＸ検出を介してこれを実現することができる。
【０１１９】
ＵＥがキャリアアグリゲーションで動作するように構成された場合、ＵＥは対応するセル又はセルグループの個数と同一なＤＣＩフォーマットＰのフィールド個数が構成されることができ、単一セル動作のためのＤＣＩフォーマットＰの以前に説明された機能がキャリアアグリゲーションを用いる動作でセル又はセルグループ個数に対応するフィールド個数に対して並列化されることができる。セルグループ内のセルは上位階層によって予め構成されるか又はセルインデックス及びセルグループ内のセル個数によって暗示的に決定されることができる。
【０１２０】
Ｃ−ＤＲＸサイクルに対する“オンデュレーション、非活性タイマー”値のセットの適応はさらにＵＥによる受信に用いられるＤＬ ＢＷＰに依存することができる。例えば、“オンデュレーション、非活性タイマー”値のセットに対する構成は各ＢＷＰに対し、又は第１ＢＷＰ及び残りのＢＷＰに対して独立的に提供されることができる。
【０１２１】
例えば、“オンデュレーション”及び“非活性タイマー”に対するより小さい値が、ｇＮＢがＵＥに対するｇＮＢバッファーに多い量のデータを有していなく高いデータレートを要しない時に用いられる第１ＤＬ ＢＷＰで構成されることができ、“オンデュレーション”及び “非活性タイマー”に対するより大きい値が、ｇＮＢがＵＥに対して高いデータレートを達成しようとする時に用いられる第２ＤＬ ＢＷＰで構成されることができる。
【０１２２】
図１０は、本開示の実施例によって対応するＤＬ ＢＷＰに依存するＣＣＥアグリゲーションレベル当たり及び探索空間セット当たりＰＤＣＣＨ候補個数に対するＵＥ決定のための方法１０００のフローチャートを示す図面である。図１０に示された方法１０００の実施例はただ説明のためのことである。図１０に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１２３】
ｇＮＢは段階１０１０で上位階層シグナリングを用い、第１ＤＬ ＢＷＰのＣ−ＤＲＸ期間に係る“オンデュレーション”に対する第１値と“非活性タイマー”に対する第１値及び第２ＤＬ ＢＷＰのＣ−ＤＲＸ期間に係る“オンデュレーション”に対する第２値と“非活性タイマー”に対する第２値を構成する。ＵＥは段階１０２０で活性化されたＤＬ ＢＷＰが第１ＤＬ ＢＷＰであるか又は第２ＤＬ ＢＷＰであるか否かを決定する。活性化されたＤＬ ＢＷＰが第１ＤＬ ＢＷＰの場合、ＵＥは段階１０３０でＣ−ＤＲＸ期間に対する“オンデュレーション”及び“非活性タイマー”パラメーターに対する第１値を用いる。活性化されたＤＬ ＢＷＰが第２ＤＬ ＢＷＰの場合、ＵＥは段階１０４０でＣ−ＤＲＸ期間に対する“オンデュレーション”及び“非活性タイマー”パラメーターに対する第２値を用いる。
【０１２４】
ＤＣＩフォーマットＰ（ＤＣＩフォーマット０＿１又はＤＣＩフォーマット１＿１のようなＵＥ共通又はＵＥ特定であれば良い）による表示は、ＵＥが自分の無線周波数を活性化して少なくとも一つのＤＣＩフォーマットをデコーディングしなければならないからＵＥが共通探索空間でＰＤＣＣＨをさらにモニタリングするスロット又はＰＤＣＣＨモニタリングオケージョンで適用されないこともある。これはＳＩ−ＲＮＴＩ又はＲＡ−ＲＮＴＩ又はＰ−ＲＮＴＩによってスクランブルされるＣＲＣを用いるＤＣＩフォーマットのような、ＰＤＳＣＨ受信をスケジューリングするＤＣＩフォーマットに対応する共通探索空間にさらに制限されることができ、ＴＰＣ−ＰＵＳＣＨ−ＲＮＴＩ、ＴＰＣ−ＰＵＣＣＨ−ＲＮＴＩ又はＳＦＩ−ＲＮＴＩによってスクランブルされたＣＲＣを用いるＤＣＩフォーマットのような、ＰＤＳＣＨ受信をスケジューリングせずＤＣＩフォーマットにおいて、ＵＥはＰＤＳＣＨ受信を準備する必要がないから続いて電力を節減することができる。したがって、ＵＥは少なくともＰＤＣＣＨモニタリングオケージョン又はＵＥがＰＤＳＣＨ受信をスケジューリングするＵＥ共通ＣＩフォーマットをデコーディングするスロットでＵＥ特定ＤＣＩフォーマットをデコーディングすることができる。
【０１２５】
セカンダリーセルの動的活性化
セカンダリーセルの活性化のためのプライマリー遅延ソースはＵＥがセカンダリーセルに対するサービングｇＮＢにＣＳＩフィードバックを提供する遅延に係る。また、このＣＳＩフィードバックはｇＮＢがセカンダリーセルでＵＥに対するＰＤＳＣＨ送信をスケジューリングするに十分ではないチャンネル品質を示すことができる。その次のｇＮＢがＵＥに対する他のセカンダリーセルセットを活性化し、当該ＣＳＩフィードバックを得て、充分に良好なＣＳＩフィードバックと連関されないセルを非活性化するための追加レイテンシが必要である。
【０１２６】
セカンダリーセルを活性化する時にこのような遅延問題を防止するために、ＬＴＥ動作は新しいＳＣｅｌｌ状態（いわゆる、休眠状態）を導入し、ここではＵＥがＳＣｅｌｌに対する周期的ＣＳＩフィードバックを測定及び報告することができ、この新しいＳＣｅｌｌ状態は非活性化された状態と同一であり、ＵＥは当該ＳＣｅｌｌに対するＰＤＣＣＨをモニタリングしないか他のシグナリングを送／受信しない。しかし、サブフレームごとにＣＲＳが存在するか周期的ＣＳＩ−ＲＳが存在して予め決定された時間インスタンスで周期的ＣＳＩ測定が可能なＬＴＥと異なる、新しい無線システムではＣＲＳ又は周期的ＣＳＩ−ＲＳが存在しないこともある。すると、ＵＥがＣＳＩを測定してｇＮＢにＣＳＩ報告を提供するため、ＵＥは当該非活性化されたＳＣｅｌｌに対してノン−ゼロ電力ＣＳＩ−ＲＳ（ＮＺＰ ＣＳＩ−ＲＳ）構成がシグナリングされなければならない。
【０１２７】
ＵＥは簡略化のためにＤＣＩフォーマットＣに指称されるＤＣＩフォーマットのＣＲＣをスクランブリングするためのＣＳＩ−ＲＳ−ＲＮＴＩを上位階層によって構成されることができる。ＵＥはさらにＤＣＩフォーマットＣの各フィールドに対する一つ以上の位置を上位階層によって構成され、ここで各フィールドはＳＣｅｌｌ又はＳＣｅｌｌグループに対応して各ＳＣｅｌｌインデックス又はＳＣｅｌｌグループの各ＳＣｅｌｌインデックスは上位階層によって構成される。
【０１２８】
このフィールドは構成されたすべてのセル又は活性化されないすべてのセルを含むことができる当該ＳＣｅｌｌ又はＳＣｅｌｌグループでＵＥによるＮＺＰ ＣＳＩ−ＲＳ受信のためのＮＺＰ ＣＳＩ−ＲＳリソース構成を示すのに用いられる。ＮＺＰ ＣＳＩ−ＲＳ受信はＳＣｅｌｌ又はＳＣｅｌｌグループに対するＣＳＩを測定及び報告するためにＵＥによって用いられる。
【０１２９】
このフィールドはｃｅｉｌ（ｌｏｇ２（ｎＮＺＰ＋１））と同一なビット数を含むことができ、ここでｃｅｉｌ（）は数字を次の大きい整数に四捨五入するシーリング関数であり、ｎＮＺＰはＳＣｅｌｌに対してＤＣＩフォーマットＣで表示されることができるＮＺＰ ＣＳＩ−ＲＳ リソース構成の数である。例えば、ＮＺＰ ＣＳＩ−ＲＳリソース構成が１と制限されると、ＤＣＩフォーマットＣのフィールドは例えば、“０”値が当該ＳＣｅｌｌ（又はＳＣｅｌｌグループ）に対するＮＺＰ ＣＳＩ−ＲＳ受信がなく、したがって、ＣＳＩ測定及び報告がないことを示し、“１”値が当該ＳＣｅｌｌに対するＮＺＰ ＣＳＩ−ＲＳ受信を示す、１ビットを含む。
【０１３０】
ＵＥがＴセルを介して同時に受信することができ、ＵＥがＡ活性セルを有している場合、ＵＥはＴ−ＡセルでＮＺＰ ＣＳＩ−ＲＳを同時に受信することができる。ＮＺＰ ＣＳＩ−ＲＳ受信のためにＤＣＩフォーマットＣによってＵＥに表示されるＳＣｅｌｌ個数がＴ−Ａより大きくない場合、ＵＥは各ＮＺＰ ＣＳＩ−ＲＳリソース構成によって表示されるＳＣｅｌｌでＮＺＰ ＣＳＩ−ＲＳを同時に受信することができる。
【０１３１】
例えば、ＮＺＰ ＣＳＩ−ＲＳ受信は同一なスロットの同一なシンボルを介して行われることができる。ＮＺＰ ＣＳＩ−ＲＳ受信のためにＤＣＩフォーマットＣによってＵＥに表示されるＳＣｅｌｌ個数がＴ−Ａより大きい場合、ＵＥはそれぞれのセルインデックスによってそしてそれぞれのＮＺＰ ＣＳＩ−ＲＳリソース構成によって、第１のＴ−Ａ ＳＣｅｌｌでＮＺＰ ＣＳＩ−ＲＳを同時に受信し、次のＴ−Ａ ＳＣｅｌｌを続くことができ、その他、これと同じである。ＵＥが表示されたすべてのＳＣｅｌｌで同時にＮＺＰ ＣＳＩ−ＲＳを受信することができなくＵＥが自分の無線周波数を再調整しなければならない場合、連続的なＴ−Ａ ＳＣｅｌｌでのＮＺＰ ＣＳＩ−ＲＳ受信はＺＰ ＣＳＩ−ＲＳ受信をサポートする互いに異なる連続スロットで行われることができる（例えば、アップリングクではないスロット）。非活性化されたセルでＮＺＰ ＣＳＩ−ＲＳ受信のためのＤＬ ＢＷＰはそれぞれのＳＣｅｌｌに対して上位階層によって表示される初期ＤＬ ＢＷＰのような基準ＤＬ ＢＷＰであれば良い。
【０１３２】
ＤＣＩフォーマットＣはさらにＵＥがＰＵＣＣＨで連関されたＣＳＩ報告を送信するためのＰＵＣＣＨリソース（ＤＣＩフォーマットＣの受信のためのスロットに対するスロット時間オフセット含み）及びＰＵＣＣＨの送信電力を調整するためのＴＰＣコマンドを含むことができる。
【０１３３】
図１１は、本開示の実施例によってＵＥがセルセットに対するＣＳＩを測定及び報告する方法１１００のフローチャートを示す図面である。図１１に示された方法１１００の実施例はただ説明のためのことである。図１１に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１３４】
段階１４１０でｇＮＢはＤＣＩフォーマットＣに対するＲＮＴＩ、ＤＣＩフォーマットＣ受信の周期を含む探索空間セット、及びＮＺＰ−ＣＳＩ−ＲＳ受信のための構成又は上位階層シグナリングによって予め提供された単一構成だけある場合、ＣＳＩ−ＲＳ受信活性化のための構成を示すＤＣＩフォーマットＣのフィールド位置をＵＥに構成する。ＣＳＩ−ＲＳ受信の活性化に加え、このフィールド又は追加的な各フィールドは、それらが上位階層によって予め構成されるか指定されない場合、一つ以上のＣＳＩ報告を含むＰＵＣＣＨ送信のための電力を決定するためのＴＰＣコマンド、対応するＰＵＣＣＨリソース、及びスロットタイミングオフセットを含むことができる。
【０１３５】
ＣＳＩ受信の活性化はすべてのセルに対して行われることができるか、又は活性化されないセルに対してだけ行われることができるか、又は一つ以上のセルを含んで上位階層によって構成されるセルグループに対してだけ行われることができる。ＤＣＩフォーマットＣの検出時に、ＵＥは段階１４２０で当該フィールドがセルに対するＣＳＩ−ＲＳ受信活性化を示すか否かを決定する。そのような場合、ＵＥは段階１４３０でＣＳＩ−ＲＳを基盤で測定を行い、ＣＳＩを獲得し、ＴＰＣコマンドと表示されたＰＵＣＣＨ リソース及びスロットタイミングオフセットを用いて決定される電力でＵＥが送信するＰＵＣＣＨで適用されることができるセルに対するＣＳＩを報告する。
【０１３６】
選好する構成報告
ＵＥは例えば、ＵＥの電力状態によって、ＵＥにより選好されるサービングｇＮＢへの送信又はサービングｇＮＢからの受信のための一つ以上の構成を報告することができる。例えば、ＵＥが全体バッテリー電力を有するか電力供給装置に接続される時、ＵＥは例えば、カバレッジ又はデータレート増加に有利することができる第１構成をリクエストすることができる。例えば、ＵＥが低いバッテリー電力を有する場合、ＵＥは例えばデータレート増加よりＵＥ電力消耗減少に優先順位を置くことができる第２構成をリクエストすることができる。一構成のパラメーターは送信機アンテナ又は空間階層個数、受信機アンテナ又は空間階層個数、活性化されたセル個数、ＰＤＣＣＨモニタリング周期などを含むことができる。
【０１３７】
ＵＥがサービングｇＮＢに報告する一つ以上の構成それぞれはフィールドの値で表現されることができる。例えば、２ビットのフィールドを用いて“００”、“０１”、“１０”及び“１１”の各値で次の４つの構成、すなわち、｛受信機アンテナ２個、空間階層１個、第１グループの活性化されたセル｝、{受信機アンテナ４個、空間階層２個、第１グループの活性化されたセル｝、{受信機アンテナ４個、空間階層２個、第２グループの活性化されたセル｝、｛受信機アンテナ２個、空間階層２個、第３グループの活性化されたセル｝のうちのいずれか一つを示すことができる。
【０１３８】
ＵＥが報告することができる選好構成の個数は例えば、一つの構成のように、システム動作で予め決定されることができるか、上位階層によってＵＥに構成されることができる。ＵＥが２つ以上の選好構成を報告するように構成された場合、選好順序では報告での当該フィールド手順によることができる。一つ以上の選好されるＵＥ構成の報告は周期的であるかＵＥ又はｇＮＢによってトリガーされることができる。
【０１３９】
周期的報告のために、ＵＥには報告周期及びその報告を含むＰＵＣＣＨの送信のためのＰＵＣＣＨリソースが構成されることができる。選好される構成の周期的報告は周期が同一であるかより小さくても周期的／半持続的ＣＳＩ報告と一致することができ、ＵＥは同一なＰＵＣＣＨで２つの報告を結合することができる。ＰＵＣＣＨリソースで使用可能なＲＥ(ＤＭＲＳ送信に用いられるＲＥ 除外)の個数がそれぞれのＰＵＣＣＨ送信での制御情報に不十分で、例えば、ＵＥが上位階層によって構成されたターゲットコードレートを達成することができない場合、ＵＥはＣＳＩ報告送信より構成報告送信に優先順位を置くことができる。
【０１４０】
トリガーされる報告の場合、ＵＥは自分がＰＵＳＣＨで送信するＭＡＣ制御要素（ＭＡＣ ＣＥ）に報告を含むことができる。これはさらにサービングｇＮＢが（関連された送信ブロックの受信に対するＣＲＣ検事を行うことによって）報告が正しく受信されたか否かを決定することができるようにする。報告がさらに例えば、ＤＣＩフォーマット０＿１又はＤＣＩフォーマット１＿１のような、ＤＣＩフォーマットのフィールドを介してサービングｇＮＢによってリクエストされることができる。
【０１４１】
サービングｇＮＢはＵＥへのＰＤＳＣＨ送信でＭＡＣ ＣＥによってＵＥに選択された構成を示すことができる。この構成はＵＥが新しい構成を適用するのに必要な時間によって決定される特定期間の以後に適用されることができる。例えば、この時間はＭＡＣ ＣＥによって表示される新しいＴＣＩ状態をＵＥが適用するのに必要な時間と同一であれば良い。ＵＥが減少された受信機アンテナ個数の構成を用いる場合、カバレッジの急な変更によってＵＥがカバレッジを外れないように保障するために、ＵＥが４個の受信機アンテナのような最大受信機アンテナ個数を用いるように転換されることができ、周期がサービングｇＮＢから上位階層によってＵＥに構成されることができる。例えば、４０個のスロット又は毎４０ｍｓｅｃのように、スロット数当たり１つ以上のスロットで、ＵＥはすべての受信機アンテナを活性化した後のサービングｇＮＢによって表示された構成に基づいて一部受信機アンテナを非活性化することができる。スロット数は上位階層によってＵＥに構成されるかシステム動作のＮＲ仕様で定義されることができる。
【０１４２】
例えば、ＵＥ設計又はＵＥ配置／配向のような外部要人又は受信信号に対する人間の遮断又はその他の干渉により、互いに異なる受信機アンテナが互いに異なる経路損失を経験することができるので、ＵＥは受信機アンテナごとに対する又は受信機アンテナのサブセット毎に対するＣＱＩ又はＳＩＮＲ／ＲＳＲＰをｇＮＢに提供する。この報告はＰＣｅｌｌのような基準セル又は、ＵＥがＣＱＩ又はＲＳＲＰを報告する任意のセルに対することであれば良い。例えば、この報告はＲＳＲＰが最大のアンテナのような第１受信機アンテナに対するＲＳＲＰと、例えば、残り受信機アンテナに対する３ｄＢの量子化されたステップの差分的ＲＳＲＰを含むことができる。例えば、この報告は４個の受信機アンテナに対するＣＱＩ、２個の受信機アンテナに対するＣＱＩ又は１個の受信機アンテナに対するＣＱＩを含むことができる。これはＵＥの受信機アンテナ（及び送信機アンテナ）個数に対する構成を決定するための追加情報をサービングｇＮＢに提供することができる。
【０１４３】
例えば、第２アンテナに対するＲＳＲＰが第１アンテナに対するＲＳＲＰより少なくとも６ｄＢ小さな場合、ｇＮＢは第２受信機アンテナを非活性化するようにＵＥに表示することができる。ＵＥが一つの受信機アンテナに対するＲＳＲＰが異なる受信機アンテナのＲＳＲＰに比べて予め決定されたしきい値未満と決定する場合、ＵＥがｇＮＢに通知せず独立的にそのような決定を下すことも可能である。
【０１４４】
図１２は、本開示の実施例によるＵＥ受信機アンテナ個数に対する構成を決定するためのＵＥ報告に対する方法１２００フローチャートを示す図面である。図１２に示された方法１２００の実施例はただ説明のためのことである。図１２に示された一つ以上の構成要素は言及された機能を行うように構成された特殊回路で具現されることができるか、一つ以上の構成要素は言及された機能を行うための命令語を行う一つ以上のプロセッサによって具現されることができる。他の実施例が本開示の範囲を逸脱せずに用いられる。
【０１４５】
ＵＥはＮ個の受信機アンテナを備えている。ＵＥは段階１２１０でＮ個の受信機アンテナそれぞれに対する又はＮ個の受信機アンテナグループに対する、ＲＳＲＰ又はＣＱＩのような受信品質を測定する。ＵＥは段階１２２０でＮ個の受信機アンテナ又はＮ個の受信機アンテナグループに対するＲＳＲＰ又はＣＱＩをｇＮＢに報告する。ＵＥは段階１２３０でＵＥがｇＮＢから送信を受信するための、受信機アンテナ又は受信機アンテナグループに対する個数の構成をｇＮＢから受信する。この構成が受信機アンテナ個数を提供する場合、受信機アンテナはその個数と同一であり、より大きい報告ＲＳＲＰを有することである。
【０１４６】
構成はさらに動作条件によってＵＥによって暗示的に決定されることができる。例えば、ＵＥがデフォルトＢＷＰ又は初期ＢＷＰのような第１ＢＷＰから第２ＢＷＰに切り替える場合、ＵＥはさらに第１構成から第２構成に切り替えることができる。ＢＷＰは任意の活性セルに係ることであるかプライマリーセルだけに対することであれば良い。例えば、ＵＥはＤＬ ＢＷＰが高いデータレートをサポートする大きいＤＬ ＢＷＰのような第１ＤＬ ＢＷＰの場合、４個の受信機アンテナで動作することができ、ＤＬ ＢＷＰがＵＥに対する小さいデータパケットの送信をサポートする小さいＤＬ ＢＷＰのような第２ＤＬ ＢＷＰの場合、２個の受信機アンテナで動作することができる。このようなＵＥ動作は上位階層による個別構成を介してサービングｇＮＢによってイネーブルされることができる。
【０１４７】
図１３は、本開示の実施例による対応するＤＬ ＢＷＰに寄り掛かるＵＥ 受信機アンテナ個数に対するＵＥ 決定のための方法１３００のフローチャートを示す図面である。図１３に示された方法１３００の実施例はただ説明のためのことである。図１３に示された一つ以上の構成要素は言及された機能を行うように構成された特殊回路で具現されることができるか、一つ以上の構成要素は言及された機能を行うための命令語を行う一つ以上のプロセッサによって具現されることができる。他の実施例が本開示の範囲を逸脱せずに用いられる。
【０１４８】
図１３に示されたように、ＵＥは段階１３１０で第１ＤＬ ＢＷＰが活性化されたＤＬ ＢＷＰの場合、第１受信機アンテナ個数に対する構成を受信し、第２ＤＬ ＢＷＰが活性化されたＤＬ ＢＷＰの場合、第２受信機アンテナ個数に対する構成を受信する。ＵＥは段階１３２０で活性化されたＤＬ ＢＷＰが第１ダウンリンクＢＷＰであるか第２ＤＬ ＢＷＰであるか否かを判定する。活性化されたＤＬ ＢＷＰが第１ＤＬ ＢＷＰの場合、ＵＥは段階１３３０で第１個数の受信機アンテナを用いる。活性化されたＤＬ ＢＷＰが第２ダウンリンクＢＷＰの場合、ＵＥは段階１３４０で第２個数の受信機アンテナを用いる。ＵＥはより大きいＲＳＲＰを測定する受信機アンテナに対応することになるように第１個数及び第２個数をさらに選択することができる。
【０１４９】
ｇＮＢはＭＡＣ ＣＥ又はＲＲＣのような上位階層シグナリング又は階層１（物理的階層）シグナリングを用いてＵＥによる送／受信構成に対する適応を提供することができる。後者は構成適応のための最小レイテンシがその適応から大部分の利得を得るのに重要な場合、好ましい。ＵＥによる送／受信構成に対する適応を提供するのに必要なビット数が少なくないか適応が頻繁ではない場合、適応を示すためのＵＥ特定ＤＣＩフォーマットの再解釈はＵＥ共通ＤＣＩフォーマット又はＵＥ特定ＤＣＩフォーマットで一つ以上のフィールドを用いるよりもさらに効率的な選択であることができる。この理由はそういうフィールドの実際使用が頻繁ではない場合、ＵＥ共通ＤＣＩフォーマット又はＵＥ特定ＤＣＩフォーマットでＵＥに対する構成の適応を示すために常にフィールドを予備する代りに、ｇＮＢによってリクエストによってＵＥへ送信されることができるからである。
【０１５０】
ＰＤＳＣＨ受信又はＰＵＳＣＨ送信をスケジューリングする代わりにＵＥに対する構成の適応を示すためのＵＥ特定ＤＣＩフォーマットの再解釈は１ビットの明示的フィールドによって又はＵＥ特定ＤＣＩフォーマットの既存フィールドを特定値で設定することによって行われることができる。例えば、ＤＣＩフォーマット０＿１では、ＵＬ−ＳＣＨ（Ｕｐｌｉｎｋ Ｓｈａｒｅｄ Ｃｈａｎｎｅｌ）送信無しを示すフィールドが設定されることができ（ＵＬ−ＳＣＨ無し）、Ａ−ＣＳＩ報告リクエストを示すフィールドが設定されないこともある（Ａ−ＣＳＩJ報告無し）。
【０１５１】
例えば、ＲＶ（ｒｅｄｕｎｄａｎｃｙ ｖｅｒｓｉｏｎ）を示すフィールドがＲＶ３又はＲＶ１を示すように設定されることができ、ＮＤＩ（ｎｅｗ ｔｒａｎｓｐｏｒｔ ｂｌｏｃｋ）の送信を示すフィールドが新しい送信ブロックを示すように設定されることができる。ＤＣＩフォーマットがＵＥに対する送／受信パラメーターに対する構成の適応を伝達するように解釈される場合、ＤＣＩフォーマットの残りビット（解釈に用いられるビット及びＣＲＣビット以外のこと）を用いて適応を表示することができ、ＤＣＩフォーマットの残りビットより少ないビットで適応が表示されることができる場合、一部ビットが予備されるか使用しない。
【０１５２】
適応された構成は受信機アンテナ個数、送信機アンテナ個数、階層個数、活性化されたセル又はＢＷＰ個数、Ｃ−ＤＲＸ期間に対するパラメーター（オンデュレーション及び非活性タイマー）、ＰＤＣＣＨモニタリングに対するパラメーター、ＰＤＣＣＨ候補のスケーリングのような探索空間セットの構成に係る他のパラメーターなどを含むことができる。構成の適応は直ちに有効又はＵＥがＤＣＩフォーマット検出に応答してＨＡＲＱ−ＡＣＫ情報を提供した時点から予め決定された時間以後に有効であれば良い。
【０１５３】
潜在的なエラーから復旧するためのフォールバック動作が以前に上位階層で提供されるか予め決定されるか構成された時間期間（例えば、４０ｍｓｅｃごとに）でデフォルトであるか、又はＵＥが共通探索空間でＵＥ特定ＤＣＩフォーマットをモニタリングする時などに送／受信のための構成を用いてＵＥによってサポートされることができる。
【０１５４】
ＰＤＳＣＨ／ＰＵＳＣＨ数／送信スケジューリングに係る処理時間（例えば、Ｎ０／Ｎ２シンボル）が設定されることができる。Ｎ０又はＮ２はＵＥがＰＤＳＣＨを受信するかＰＵＳＣＨを送信するのに必要な最小処理時間をそれぞれ示す。ＰＤＣＣＨと関連ＰＤＳＣＨ／ＰＵＳＣＨ数／送信の間の遅延（すなわち、Ｋ１／Ｋ２）はＮ０／Ｎ２より大きくなければならない。Ｎ０／Ｎ２のデフォルト値はシステム動作で予め定義されるか上位階層シグナリングを介してＵＥに提供されることができる。例えば、Ｎ０／Ｎ２のデフォルト値は１個のスロットであれば良い。ＵＥは電力を節減するためにＰＤＣＣＨで当該ＤＣＩフォーマットを検出した後のＮ０／Ｎ２より大きくない期間の間のライトスリップ状態に入ることができる。
【０１５５】
ＵＥ電力節減利得を改善するために、サービングｇＮＢは異なる電力節減利得目標又は異なるレイテンシ要件に適応するためにＮ０／Ｎ２の動的アップデートを示すＵＥ制御情報を送信することができる。例えば、制御情報が１ビットの場合、“０”はＮ０＝２ｘ Ｎ０＿ｄｅｆａｕｌｔ又はＮ２＝２ｘ Ｎ０＿ｄｅｆａｕｌｔのように、予め決定された値に比べてＮ０／Ｎ２の２倍を示すことができ、“１”はＮ０＝ ｍａｘ（Ｎ０／２、Ｎ０＿ｄｅｆａｕｌｔ）又はＮ２＝（Ｎ２／２、Ｎ２＿ｄｅｆａｕｌｔ）を示すことができる。Ｎ０＿ｄｅｆａｕｌｔ及びＮ２＿ｄｅｆａｕｌｔは上位階層でＵＥに提供されるかシステム動作で予め決定されるＮ０及びＮ２の値である。
【０１５６】
ＵＥがＣＡと共に動作するように構成される場合、ＳＣｅｌｌの活性化／非活性化がＮ０／Ｎ２に対する適応と組み合せることができる。Ｎ０／Ｎ２がしきい値Ｔ＾Ｎ０／Ｔ＾Ｎ２より大きい場合、スケジューリングセルでＰＤＣＣＨモニタリング期間にＵＥに対するスケジューリングされたＰＤＳＣＨ／ＰＵＳＣＨ受／送信がないＳＣｅｌｌは非活性化されることができる。反対に、ＵＥがスケジューリングセルで受信したＰＤＣＣＨでＤＣＩフォーマットを検出してＳＣｅｌｌでＰＤＳＣＨ／ＰＵＳＣＨ受／送信をスケジューリングする場合、ＵＥはＳＣｅｌｌを活性化する。ＵＥはさらにＵＥがＳＣｅｌｌでＣＳＩ−ＲＳ受信又はＳＲＳ送信のためにトリガーされるか構成されるごとにＳＣｅｌｌを活性化することもできる。
【０１５７】
図１４は、本開示の実施例によってＳＣｅｌｌの活性化又は非活性化と組み合せるＳＣｅｌｌでＰＤＳＣＨ／ＰＵＳＣＨ数／送信をスケジューリングするための処理時間の適応に対する方法１４００のフローチャートを示す図面である。図１４に示された方法１４００の実施例はただ説明のためのことである。図１４に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１５８】
プライマリーセル及び１５ＫＨｚのＳＣＳとだけ連関されたスロットタイミング値セットＫ１に対するデフォルト構成がパラメーターｄｌ＿ＤａｔａＴｏ＿ＵＬ＿ＡＣＫのように、上位階層によってＵＥに提供されることができる。サービングｇＮＢがＳＣＳ＿ｊを有する活性ＢＷＰでＳＣＳ＿ｉを有する活性ＢＷＰで切り替えるようにＵＥに表示する場合、｜Ｋ１｜で表示されるＫ１の大きさ／カーディナリティが｜Ｋ１｜＊（ＳＣＳ＿ｊ／ＳＣＳ＿ｉ）で調整されることができ、Ｋ１値セット ［０、ｖ＿ｉ］の要素範囲が［０、ｖ＿ｊ］＊（ＳＣＳ＿ｊ／ＳＣＳ＿ｉ）で調整されることができる。
【０１５９】
Ｋ１のスロットタイミング値は活性化されたセル個数によって表示されるトラフィック負荷に当たるように調整されることができる。いくつかの活性化されたセルが予め定義されることができ、“ＣＡレベル”に対応することができる。例えば、Ｌ＾ＣＡ＿０／Ｌ＾ＣＡ＿１／Ｌ＾ＣＡ＿２／Ｌ＾ＣＡ＿３／Ｌ＾ＣＡ＿４で表示されるＣＡレベル０／ＣＡレベル１／ＣＡレベル２／ＣＡレベル３／ＣＡレベル４がそれぞれの１／２／４／８／１６個の活性化されたセルと連関されることに予め定義されることができる。互いに異なるトラフィック負荷に適応するためのセルの活性化又は非活性化によってＣＡレベルがＬ＾ＣＡ＿ｉからＬ＾ＣＡ＿ｊに変更される場合、｜Ｋ１｜で表示されるＫ１の大きさ／カーディナリティが｜Ｋ１｜＊（Ｌ＾ＣＡ＿ｊ／Ｌ＾ＣＡ＿ｉ）で調整されることができ、Ｋ１値セット［０、ｖ＿ｉ］の要素範囲は［０、ｖ＿ｊ］＊（Ｌ＾ＣＡ＿ｊ／Ｌ＾ＣＡ＿ｉ）で調整されることができる。
【０１６０】
図１４に示されたように、ＵＥは段階１４１０でＰＤＳＣＨ／ＰＵＳＣＨ、Ｎ０／Ｎ２のスケジューリングでデフォルト処理時間に対する構成を受信し、Ｎ０／Ｎ２より大きいＫ１／Ｋ２を期待しない。段階１４２０で、ＵＥはＮ０／Ｎ２スケーリングのためのＬ１制御情報を受信する。段階１４３０で、ＵＥはＮ０／Ｎ２ ＞ Ｔ＾Ｎ０／Ｔ＾Ｎ２であることで決定する。段階１４３０でＮ０／Ｎ２ ＞ Ｔ＾Ｎ０／Ｔ＾Ｎ２の場合、段階１４４０でＵＥはＰＤＳＣＨ／ＰＵＳＣＨスケジューリングのために表示されないＳＣｅｌｌを非活性化し、ＰＤＳＣＨ／ＰＵＳＣＨスケジューリングのために表示されたＳＣｅｌｌを活性化する。
【０１６１】
図１５は、本開示の実施例によるＢＷＰ 転換及び ＳＣｅｌｌ 活性化／非活性化とともにスロットタイミング値 Ｋ１の適応のための方法１５００のフローチャートを示す図面である。図１５に示された方法１５００の実施例はただ説明のためのことである。図１５に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１６２】
ＵＥが二重接続（ＤＣ）で動作するように構成された場合、マスターセルグループ（ＭＣＧ）に対するｇＮＢとセカンダリーセルグループ（ＳＣＧ）に対するｇＮＢが独立的に動作してＵＥに対する送／受信パラメーターの構成に対する適応が一般的にＭＣＧとＳＣＧのいずれもで必要になる。例えば、ＭＣＧとＳＣＧが６ＧＨｚ未満のような同一な周波数範囲で動作する場合、ＵＥはＭＣＧとＳＣＧのいずれもで２個のＲｘアンテナ又は４個のＲｘアンテナで動作しなければならなく、多数のＵＥ受信機アンテナに対するＭＣＧとＳＣＧの間の調整を必要とする。
【０１６３】
ＰＤＣＣＨモニタリングオケージョンがＭＣＧ又はＳＣＧで適応される場合、ＵＥがＭＣＧとＳＣＧで同時にＰＤＣＣＨをモニタリングするか又はＭＣＧとＳＣＧで同時にスリップモードにあるように、それぞれＳＣＧ又はＭＣＧで類似の適応を有することが有利である。例えば、ＭＣＧ及びＳＣＧがＵＥに対するそれぞれのＣ−ＤＲＸサイクルをバックホールリンクを介して交換することができるか又はＭＣＧがＵＥに対するＣ−ＤＲＸサイクル構成をＳＣＧに示すことができる。また、ＭＣＧとＳＣＧはＵＥがＭＣＧとＳＣＧのいずれもでＣ−ＤＲＸ活性時間にある時の測定を行うようにＵＥを構成するのが有利である。例えば、ＭＣＧとＳＣＧがバックホールリンクを介してＣＳＩ−ＲＳパターンを交換することができるか又はＭＣＧがＳＣＧによってＭＣＧに表示される一連のＣＳＩ−ＲＳパターンからＣＳＩ−ＲＳパターンを選択してＳＣＧに表示することができる。
【０１６４】
ＵＥがＭＣＧ及びＳＣＧへの送信で電力が制限される可能性を減らすために、ＭＣＧとＳＣＧがバックホールリンクを介して周期的又は半持続的ＰＵＳＣＨ、ＰＵＣＣＨ又はＳＲＳ送信用のＰＵＳＣＨ、ＰＵＣＣＨ又はＳＲＳ送信パターンを交換することができる。その次、ＵＥが少なくとも一つのＣＧに対して小さないＲＳＲＰ（大きい経路損失）を報告する場合のように、ＵＥがＭＣＧ及びＳＣＧへの送信のために電力が制限されることができる大きい可能性がある場合、ＳＣＧ（又はＭＣＧ）はＭＣＧ上の当該パターンと時間的に重ならない周期的又は半持続的ＰＵＳＣＨ、ＰＵＣＣＨ又はＳＲＳ送信のためのパターンを選択することができる。
【０１６５】
反対に、ＵＥが２つのＣＧのいずれもに対して大きいＲＳＲＰ（小さい経路損失）を報告する場合のように、ＵＥがＭＣＧ及びＳＣＧへの送信のために電力が制限されることができる小さな可能性がある場合、ＳＣＧ（又はＭＣＧ）はＭＣＧ上の当該パターンと時間的に重なる周期的又は半持続的ＰＵＳＣＨ、ＰＵＣＣＨ又はＳＲＳ送信のためのパターンを選択することができ、これによりＵＥは送信しない時間を増やすことができる（動的にトリガーされる送信を除く）。
【０１６６】
ＵＥが送／受信パラメーターの適応に係るサポート情報を提供する場合、ＵＥはＭＣＧとＳＣＧに個別的なサポート情報を提供することができ、又はＵＥはＭＣＧ／ＳＣＧの構成に係るリソース情報をＳＣＧ／ＭＣＧに提供することができる。前者の場合、ＳＣＧ／ＭＣＧはバックホールをリンクを介してＭＣＧ／ＳＣＧとサポート情報を交換することができる。ＭＣＧだけが適応構成を決定することができる場合、ＳＣＧはバックホールリンクを介してＭＣＧに適応構成をリクエストすることができる。リクエストに従って又は一般的に、ＭＣＧの独立的な決定に従って、ＭＣＧはＳＣＧに適応された構成を通知することができる。
【０１６７】
ＤＣ動作のために構成されたＵＥに対する送／受信のための構成の適応に対する一例で、ＭＣＧ又はＳＣＧは構成の適応をＵＥにシグナリングすることができ、それぞれバックホールシグナリングを介してＳＣＧ又はＭＣＧに通知することができる。適応された構成を用いてＣＧがＵＥと通信する遅延を減らすために、Ｃ−ＤＲＸサイクルのＰＤＣＣＨモニタリング周期又はＣ−ＤＲＸ構成のパラメーターに対する構成のような一部構成は一つの構成が他の構成の上位セット又は下位セットであるネスト構造を有しても良い。
【０１６８】
例えば、ＰＤＣＣＨモニタリング周期は０.５ｍｓｅｃ、１ｍｓｅｃ、２ｍｓｅｃ又は４ｍｓｅｃ（又は３０ｋＨｚ ＳＣＳの場合、１スロット、２スロット、４スロット又は８スロット）であれば良く、適応にかかわらずＣＧはＵＥが４ｍｓｅｃごとに（又は３０ｋＨｚ ＳＣＳの場合、８スロットごとに）ＰＤＣＣＨをモニタリングするということが分かっている。このような方式で、ＣＧはＵＥが適応された構成を適用するということをＣＧに通知するまで少なくとも各構成に対するパラメーターの共通値を用いてＵＥを継続スケジューリングすることができる。例えば、ＳＣｅｌｌ個数のように構成がＣＧ特定的な場合、適応プロセスがＣＧ内に含まれることができる。受信機アンテナ個数のように構成がパラメーターに対することである場合、ＣＧはできれば少ない数の受信機アンテナに対する保守的な仮定が実質的に正当化されることができるがＵＥが適用する構成に対してどんな仮定をすることができる。
【０１６９】
ＤＣ動作のために構成されたＵＥに対する送／受信のための構成の適応に対する一例で、ＭＣＧ又はＳＣＧは構成の適応をＵＥに表示することができる。バックホールシグナリングに係る遅延を減らすため、ＵＥは２つのＣＧの間の中継役目がすることができ、一つのＣＧから受信した適応された構成を他のＣＧにシグナリングすることができる。
【０１７０】
シグナリングを容易にするために、可能な構成がシステム動作の仕様によって又は上位階層シグナリングによって構成セットで予め決定されることができ、ＵＥは構成セット中の要素をシグナリングすることができる。例えば、構成には探索空間セット個数、各探索空間セットに対するパラメーター、受信機アンテナ個数などが含まれることができる。
【０１７１】
例えば、４個の構成を有するセットの場合、ＵＥは４個の構成のうちの一つの構成を示すために２ビットをシグナリングすることができる。ＵＥはＣＧによって表示されたリソース及びスロットオフセットに対するＰＵＣＣＨ送信又はＣＧのＰＵＳＣＨ送信で適応された構成をＣＧに報告することができる。ＰＵＣＣＨリソースオーバーヘッドを最小化するため、構成の適応はフレーム０から開始されるか又は上位階層によってＵＥに提供されるフレーム０のスロット０に対する予め決定されたスロットオフセット又はフレームオフセットから開始して１０ ｍｓｅｃごとに又は４０ｍｓｅｃごとにのような予め決定された時間インスタンスで発生するように制限されることができる。
【０１７２】
ＵＥは他のＣＧとの通信に係る追加情報を一つのＣＧに提供することができる。例えば、第１ＣＧに対するバッファー状態報告（ＢＳＲ）と共に、ＵＥは第２ＣＧに対するＢＳＲを第１ＣＧに提供することができる。第２ＣＧに対するＢＳＲはＵＥが第２ＣＧと活性通信を行う可能性を決定するのに用いられることができるから、第１ＣＧは第２ＣＧに対するＢＳＲの情報を用いてＵＥからの送／受信のための構成の適応を決定することができる。また、ＵＥに対するＢＳＲはバックホールリンクを介してＭＮとＳＮの間に交換されることができる。
【０１７３】
例えば、第１ＣＧでの受信のための各受信機アンテナに対するＲＳＲＰ報告と共に、ＵＥは第２ＣＧでの受信のための各受信機アンテナに対するＲＳＲＰ報告を第１ＣＧに提供することができる。第１ＣＧは受信機アンテナ個数に対する適応を決定するために第２ＣＧに対するＲＳＲＰ報告の情報を用いることができる。
【０１７４】
ＤＣによる動作のために、ＭＣＧはバックホールシグナリングを介してスロット当たりモニタリングされる最大ＰＤＣＣＨ候補個数ＭＰＤＣＣＨ，ＳＣＧ及びスロット当たり重ならない最大ＣＣＥ個数ＣＰＤＣＣＨ，ＳＣＧをＳＣＧに表示することができる。ＭＣＧはさらにＳＣＧに対するスロット当たりモニタリングされる最大ＰＤＣＣＨ候補個数及びスロット当たり重ならない最大ＣＣＥ個数をＵＥに表示することができ、ＵＥはＭＣＧに対する当該最大個数ＭＰＤＣＣＨ，ＭＣＧ及びＣＰＤＣＣＨ，ＭＣＧを、ＭＰＤＣＣＨ，ＭＣＧ＝ＭＰＤＣＣＨ−ＭＰＤＣＣＨ，ＳＣＧ及びＣＰＤＣＣＨ，ＭＣＧ＝ＣＰＤＣＣＨ−ＣＰＤＣＣＨ，ＳＣＧとして、該当するスロット当たりすべて最大個数に対する差ＭＰＤＣＣＨ及びＣＰＤＣＣＨから導出することができ、又はＭＰＤＣＣＨ，ＭＣＧ及びＣＰＤＣＣＨ，ＭＣＧがＵＥにシグナリングされることができる。
【０１７５】
例えば、ＭＣＧ及びＳＣＧはスロット当たりモニタリングされるＰＤＣＣＨ候補及びスロット当たり重ならないＣＣＥに対する対応する最大個数をＵＥに提供することができる。すると、ＭＣＧはＵＥがＳＣＧでＰＤＣＣＨをモニタリングする時点を制御することができ、ＭＣＧとＳＣＧの間にＰＤＣＣＨ候補及び非重複ＣＣＥの個数を分割することができる。
【０１７６】
例えば、ＳＣＧのセルが例えば、ＴＤＤ ＵＬ／ＤＬ構成を用いることのように非ペアリングスペクトラムで動作する場合、ＭＣＧはモニタリングされるＰＤＣＣＨ候補及び非重複ＣＣＥの最大個数をＳＣＧに割り当ててスロットがＳＣＧのセルでＵＬ方向を有する時のＵＥがＭＣＧでＰＤＣＣＨをモニタリングするように探索空間セットを構成してモニタリングされるＰＤＣＣＨ候補及び非重複ＣＣＥの最大個数を継続用いることができる（これはＳＣＧがＭＣＧに通知すること無しにＵＬ／ＤＬ構成を変更しないと仮定）。一般的に、対応するＣＯＲＥＳＥＴがＵＬシンボルを含むセルに対するＰＤＣＣＨモニタリングオケージョンで、ＵＥは対応するＰＤＣＣＨモニタリング能力を一つ以上の他のセルに割り当てることができる。
【０１７７】
例えば、ＭＣＧはＭＣＧで用いるためにスロット当たりモニタリングされるＰＤＣＣＨ候補個数とスロット当たり重ならないＣＣＥ個数を予備し、スロット当たりモニタリングされる最大ＰＤＣＣＨ候補個数に対する、スロット当たりモニタリングされる最大ＰＤＣＣＨ候補個数、及びスロット当たり重ならない最大ＣＣＥ個数に対する、スロット当たり重ならない最大ＣＣＥ個数をＳＣＧに割り当てることができる。
【０１７８】
図１６は、本開示の実施例によってＵＥと通信するためのそれぞれの構成を決定するために情報を交換するためのＭＣＧ及びＳＣＧに対する信号フロー１６００を示す図面である。図１６に示されたコールフロー１６００の実施例はただ説明のためのことである。図１６に示された一つ以上の構成要素は言及された機能を行うように構成された特殊回路で具現されることができるか一つ以上の構成要素は言及された機能を行うための命令語を行う一つ以上のプロセッサによって具現されることができる。他の実施例が本開示の範囲を逸脱せずに用いられる。
【０１７９】
ＭＣＧは段階１６１０でＳＣＧとＤＣ動作するようにＵＥを構成し、バックホールリンクを介してＳＣＧにＭＣＧでＵＥによる送／受信のための構成を提供する。この構成は例えば、アンテナ個数、Ｃ−ＤＲＸサイクルに対するパラメーターセット、ＵＥがＳＣＧでモニタリングするように構成されたすべてＰＤＣＣＨ候補個数などを含むことができる。ＳＣＧは段階１６２０でＳＣＧでのＵＥによる送／受信のための構成を決定するためにリクエストされる構成又はパラメーターをバックホールリンクを介してＭＣＧに提供する。ＭＣＧは段階１６３０でＵＥと通信するために用いるＳＣＧに対する一つ以上の構成セットをバックホールリンクを介して提供する。セットに一つより多い構成が含まれた場合、ＳＣＧは段階１６４０で選択された構成をＭＣＧに通知することができる。
【０１８０】
ＤＣで動作するために、ＭＣＧがマスターノード（ＭＮ）によって制御され、ＳＣＧはセカンダリーノード（ＳＮ）によって制御される。ＵＥがＤＣ動作で構成された場合、ＭＮ、ＳＮ 及びＵＥは、ＵＥがスロット当たりモニタリングすることが予想されるＰＤＣＣＨ候補個数とＵＥがスロット当たりチャンネル推定を行うことができることが予想される非重複ＣＣＥ個数に対して同一な理解を有しなければならない。
【０１８１】
第１接近方式はＭＮとＳＮがそれらの間で
【数４９】
2022500933.tif 000051
を分割することであり、ここで
【数５０】
2022500933.tif 000052
の能力はＭＮによって用いられ、
【数５１】
2022500933.tif 000053
の能力はＳＮによって用いられる
【数５２】
2022500933.tif 000054
この実施例は
【数５３】
2022500933.tif 000055
の値に対するＭＮからＳＮへのバックホールシグナリング及びＵＥへの上位階層シグナリングを要する
【数５４】
2022500933.tif 000056
【数５５】
2022500933.tif 000057
の値が例えば、
【数５６】
2022500933.tif 000058
が可能とするために上位階層シグナリングに別に含まれることもできる。
【０１８２】
すると、ＭＮ上の
【数５７】
2022500933.tif 000059
セル及びＳＮ上の
【数５８】
2022500933.tif 000060
セルに対するＰＤＣＣＨ（活性ＢＷＰで）をモニタリングすることができるＵＥの能力のために、ＵＥはＳＣＳ構成μを有するＭＮの
【数５９】
2022500933.tif 000061
セルを介してスロット別で互いに異なる大きさ及び／又は互いに異なる当該ＤＭ−ＲＳスクランブリングシーケンスを有するＤＣＩフォーマットに対する総
【数６０】
2022500933.tif 000062
ＰＤＣＣＨ候補をモニタリングすることが予想される。
【０１８３】
ＵＥはＳＣＳ構成μを有するＳＮの
【数６１】
2022500933.tif 000063
セルを介してスロット別で互いに異なる大きさ及び／又は互いに異なる当該ＤＭ−ＲＳスクランブリングシーケンスを有するＤＣＩフォーマットに対する総
【数６２】
2022500933.tif 000064
ＰＤＣＣＨ候補をモニタリングすることが予想される。
【０１８４】
類似に、ＵＥはＳＣＳ構成μを有するＭＮ
【数６３】
2022500933.tif 000065
のセルを通じるＰＤＣＣＨ受信スケジューリングのために総
【数６４】
2022500933.tif 000066
非重複ＣＣＥをモニタリングすることが予想される。
【０１８５】
ＵＥはＳＣＳ構成μを有するＳＮのセル
【数６５】
2022500933.tif 000067
を通じるＰＤＣＣＨ受信スケジューリングのために総
【数６６】
2022500933.tif 000068
非重複ＣＣＥをモニタリングすることが予想される。
【０１８６】
ＵＥに対する上位階層シグナリングを避ける第２接近方式はＭＮとＳＮがＵＥに対する
【数６７】
2022500933.tif 000069
及び
【数６８】
2022500933.tif 000070
の各値を交換するか、又はＭＮが
【数６９】
2022500933.tif 000071
の値をＳＮに表示することである。すると、
【数７０】
2022500933.tif 000072
であり、ＵＥはＳＣＳ構成μを有するセルでモニタリングすることが予想されるＰＤＣＣＨ候補個数又は非重複ＣＣＥ個数を決定するためにセルが単一ＣＧにあることのようにすべてのセルを処理することができる。
【０１８７】
例えば、
【数７１】
2022500933.tif 000073
及び
【数７２】
2022500933.tif 000074
である。ＳＮはさらにＭＮ又はＵＥから
【数７３】
2022500933.tif 000075
を獲得する。
【０１８８】
第２実施例の問題点はＢＷＰ転換がＤＣＩフォーマットによってトリガーされることができる場合、活性ＤＬ帯域幅部分（ＢＷＰ）のＳＣＳ構成μがセルに対する基準として用いられることができるか否かである。一つのセルグループは他のセルグループのセルでＤＣＩフォーマットによってトリガーされるＢＷＰ転換が分かることができないので、セルに対するＳＣＳ基準構成を提供する活性ＤＬ ＢＷＰを有することは問題となることができる。
【０１８９】
代案的な例はセルに対するＳＣＳ基準構成を提供するＤＬ ＢＷＰが上位階層シグナリングによって決定される限り、上位階層パラメーターｆｉｒｓｔＡｃｔｉｖｅＤｏｗｎｌｉｎｋＢＷＰによってＵＥに表示されるＢＷＰに対するＳＣＳ構成、最も小さいインデックスを有するＢＷＰに対するＳＣＳ構成などの使用を含む。反対に、単一ＣＧで動作する場合、セルに対するＳＣＳ基準構成は活性ＤＬ ＢＷＰに対応することであれば良い。
【０１９０】
第３接近方式はＵＥがＤＣ動作で構成される時のＵＥに構成されることができる総セル個数を、ＵＥが少なくとも一つのセルグループでキャリアアグリゲーション（ＣＡ）から構成される時の最小ＵＥ能力と見なされる４個以下で制限することである。すなわち、ＵＥは４個より多いセルでＰＤＳＣＨ又はＰＵＳＣＨをスケジューリングするＰＤＣＣＨ処理を予想しない。ＵＥがＤＣ動作で構成されずＣＡ動作のみのために構成されている場合、セル個数制限は４個より多いものになることができる。
【０１９１】
ＭＮ及びＳＮがそれぞれのＣＧ（ＭＣＧ及びＳＣＧで動作するためにＵＥに構成／活性化された対応するニューマロロジーで多数の各セルを交換する代りに、機能的に同等な接近方式はＭＮで用いるために予備されるかＳＮで使用可能なＰＤＣＣＨ候補個数及び／又は非重複ＣＣＥ個数をＭＮがＳＮに通知することである。
【０１９２】
この個数はすべてのＳＣＳ構成にかけた総個数であるかＳＣＳ構成当たり個数である。前者の場合、ＳＮはＵＥ能力から決定された総個数でＭＮが通知した対応個数を差引することによってＣＧで用いることができるＰＤＣＣＨ候補個数及び／又は非重複ＣＣＥ個数を導出することができる。ＳＮはさらにそれぞれのＣＧでの通信のためにＵＥに割り当てられる対応するＰＤＣＣＨ候補個数及び／又は非重複ＣＣＥ個数をＭＮに通知することができる。
【０１９３】
一例として、｛０、１、２、３｝のＳＣＳ構成μに対してスロット当たり４ｘ｛４４、３６、２２、２０｝ＰＤＣＣＨ候補をモニタリングするＵＥ能力に対し、ＭＮはＳＮがＳＣＧのセルに対して最大 ｛２ｘ４４、３ｘ３６、４ｘ２２、４ｘ２０｝ＰＤＣＣＨ候補をＵＥに構成することができるということをＳＮに通知することができる。例えば、｛０、１、２、３｝のＳＣＳ構成μに対してスロット当たり４ｘ｛４４、３６、２２、２０｝ＰＤＣＣＨ候補をモニタリングするＵＥ能力に対し、ＭＮはＳＮが最大 ｛１００、５０、４ｘ２２、４ｘ２０｝ＰＤＣＣＨ候補をＵＥに構成することができるということをＳＮに通知することができる。例えば、｛０、１、２、３｝のＳＣＳ構成μに対してスロット当たり４ｘ｛４４、３６、２２、２０｝ＰＤＣＣＨ候補をモニタリングするＵＥ能力に対し、ＭＮはＳＮがＵＥ能力に係ってＰＤＣＣＨ候補に対して最大 ｛５０％、５０％、１００％、１００％｝をＵＥに構成することができるということをＳＮに通知することができ、このシグナリングはスロット当たり非重複ＣＣＥ個数の割り当てと類似に、｛０、１５、３０、４５、６０、７５、９０、１００｝％に対する３ビットシグナリングマッピングのように予め決定されたパーセンテージセットでマッピングされることができる。
【０１９４】
モニタリングする探索空間セットを決定するため、少なくとも第２接近方式に対し、ＵＥはＭＣＧから開始して交互にＭＣＧのＰＣｅｌｌ及びＳＣＧのＰＳＣｅｌｌに対して探索空間セットを割り当てる。例えば、次のような疑似コードを用いてＵＥがモニタリングされるＰＤＣＣＨ候補をＳＣＳ構成をμ有する活性ＤＬ ＢＷＰを有するＰＳＣｅｌｌ用及びＰＣｅｌｌ用のＵＳＳセットに割り当てることができる。
【０１９５】
インデックスｃｇを有するＣＧの探索空間セットＳｕｓｓ（ｊ，ｃｇ）に対する非重複ＣＣＥセットをＶＣＣＥ（Ｓｕｓｓ（ｊ，ｃｇ））で表示して（ここでＭＣＧに対してｃｇ＝０であり、ＳＣＧに対してｃｇ＝１である）、インデックスｃｇを有するＣＧのＶＣＣＥ（Ｓｕｓｓ（ｊ，ｃｇ））カーディナリティをＣ（ＶＣＣＥ（Ｓｕｓｓ（ｊ，ｃｇ）））で表示し、ここで探索空間セットＳｕｓｓ（ｊ，ｃｇ）に対する非重複ＣＣＥはＣＳＳセットに対してモニタリングされたＰＤＣＣＨ候補及びすべての探索空間セットＳｕｓｓ（ｋ，ｃｇ）、０≦ｋ≦ｊに対してモニタリングされたＰＤＣＣＨ候補を考慮して決定される。表１は一部構成を見せる。
【０１９６】
【表１】
2022500933.tif 000076
【０１９７】
表２は、一部条件によるＵＥの動作を見せる。
【０１９８】
【表２】
2022500933.tif 000077
【０１９９】
表２に例示されたように、ＰＤＣＣＨ候補に対するＵＥ動作は類似の方式で非重複ＣＣＥにも適用される。表２に例示されたように、ＵＥ動作はＵＬシンボルである第１の活性化されたセル上のスロットのすべてのシンボルに対して追加で条件化されることができる。表２に例示されたように、ＵＥ動作はＭＣＧ及びＳＣＧのすべてのスケジューリングセル上の少なくとも同一なＳＣＳ構成に対する同期動作の場合にＭＣＧ（又はＳＣＧ）の活性化されたセルに対して拡張されることができる。すなわち、ＭＣＧ（又はＳＣＧ）の活性化されたセルのためのスロットがＵＬシンボルのみを含む場合、スロットに少なくとも一つのＰＤＣＣＨモニタリングオケージョンを含むＭＣＧ（又はＳＣＧ）の互いに活性化されたセル（少なくとも一つのＰＤＣＣＨモニタリングオケージョンに対する各シンボルはＤＬシンボル又はフレキシブルシンボルである）にはスロット内のＳＣＧのセルに対してＵＥが
【数７４】
2022500933.tif 000078
個のＰＤＣＣＨ候補を割り当てることができる（又はスロット内のＭＣＧのセルに対して
【数７５】
2022500933.tif 000079
個のＰＤＣＣＨ候補を割り当てることができる）スロット当たり最大ＰＤＣＣＨ候補個数が割り当てられる。
【０２００】
ＭＣＧとＳＣＧの間にＰＤＣＣＨモニタリングのためのＵＥ能力を分割すること以外に、ＣＧの間に分割しなければならないまた他のＵＥ能力は、ＵＥがＭＣＧ及びＳＣＧのすべてのセルで獲得して提供することができる最大同時ＣＳＩ報告個数である。例えば、ＣＡ動作の場合、ＵＥは上位階層パラメーターｓｉｍｕｌｔａｎｅｏｕｓＣＳＩ−ＲｅｐｏｒｔｓＡｌｌＣＣの値
【数７６】
2022500933.tif 000080
によってすべてのセルにかけて最大同時ＣＳＩ報告（ＣＳＩ−ＲＳ測定遂行）個数を処理する能力を宣言／報告することができる。
【０２０１】
二重接続動作の場合、ＵＥは例えば、ＭＮから、ＵＥがＭＣＧのすべてのセルにかけて処理可能ではなければならない最大同時ＣＳＩ報告個数を示す上位階層パラメーターｓｉｍｕｌｔａｎｅｏｕｓＣＳＩ−ＲｅｐｏｒｔｓＡｌｌＣＣ＿ＭＣＧに対する値
【数７７】
2022500933.tif 000081
及びＵＥがＳＣＧのすべてのセルにかけて処理可能ではなければならない最大同時ＣＳＩ報告個数を示す上位階層パラメーターｓｉｍｕｌｔａｎｅｏｕｓＣＳＩ−ＲｅｐｏｒｔｓＡｌｌＣＣ＿ＳＣＧに対する値
【数７８】
2022500933.tif 000082
が提供されることができる。
【０２０２】
ＭＮはさらに例えば、バックホールシグナリングを介して上位階層パラメーターｓｉｍｕｌｔａｎｅｏｕｓＣＳＩ−ＲｅｐｏｒｔｓＡｌｌＣＣ＿ＳＣＧの値
【数７９】
2022500933.tif 000083
及び、可能には、上位階層パラメーターｓｉｍｕｌｔａｎｅｏｕｓＣＳＩ−ＲｅｐｏｒｔｓＡｌｌＣＣ＿ＭＣＧの値
【数８０】
2022500933.tif 000084
をＳＮに通知することができる。
【０２０３】
例えば、
【数８１】
2022500933.tif 000085
である。二重接続で動作する場合、ＵＥはＭＣＧ及びＳＣＧに対して個別能力を報告してＵＥがＭＣＧ及びＳＣＧのすべてのセルにそれぞれの提供することができる最大同時ＣＳＩ報告個数を表示することもできる。これはさらにＵＥがスロット当たり及びセル当たり最大ＰＤＣＣＨ候補個数をモニタリングすることができる、ＭＣＧ及びＳＣＧの多数のセルに対する上位階層パラメーターＰＤＣＣＨ−ＢｌｉｎｄＤｅｔｅｃｔｉｏｎＣＡ＿ＭＣＧ及び上位階層パラメーターＰＤＣＣＨ−ＢｌｉｎｄＤｅｔｅｃｔｉｏｎＣＡ＿ＳＣＧをそれぞれの報告することができるＰＤＣＣＨモニタリング能力にも適用されることができる。例えば、ＵＥは上位階層パラメーターｓｙｎｃｈｒｏｎｏｕｓＣＳＩ−ＲｅｐｏｒｔｓＡｌｌＣＣＭＣＧ＿ＵＥに対する値
【数８２】
2022500933.tif 000086
と上位階層パラメーターｓｙｎｃｈｒｏｎｏｕｓＣＳＩ−ＲｅｐｏｒｔｓＡｌｌＣＣＳＣＧ＿ＵＥに対する値
【数８３】
2022500933.tif 000087
を報告することができる。例えば、
【数８４】
2022500933.tif 000088
である。例えば、ＵＥは上位階層パラメーターＰＤＣＣＨ−ＢｌｉｎｄＤｅｔｅｃｔｉｏｎＣＡ＿ＭＣＧに対する値
【数８５】
2022500933.tif 000089
と上位階層パラメーターＰＤＣＣＨ−ＢｌｉｎｄＤｅｔｅｃｔｉｏｎＣＡ＿ＳＣＧに対する値
【数８６】
2022500933.tif 000090
を報告することができる。
【０２０４】
ｇＮＢはＵＥに対する探索空間セットの構成に探索空間決定を含むことができる。例えば、探索空間決定は数式１又はネスト探索空間によって行われることができる。第１探索空間セットは対応するＰＤＣＣＨ候補に対するＣＣＥ決定のための第１探索空間で構成されることができ（例えば、数式１）、第２探索空間は対応するＰＤＣＣＨ候補のためのＣＣＥの決定のための第２探索空間（例えば、ネスト探索空間）で構成されることができる。
【０２０５】
探索空間決定の構成はさらにＭＢＢ（ｍｕｌｔｉｃａｓｔ−ｂｒｏａｄｃａｓｔ ｂｒｏａｄｂａｎｄ） サービス及び ＵＲＬＬＣ（ｕｌｔｒａ−ｒｅｌｉａｂｉｌｉｔｙ ｌｏｗ ｌａｔｅｎｃｙ ｃｏｍｍｕｎｉｃａｔｉｏｎ）サービスのような多重サービスをサポートするＵＥで条件化されることができる。すると、ＵＥがＭＢＢサービスに係るＤＣＩフォーマットを用いてＰＤＣＣＨをモニタリングしてＵＲＬＬＣ サービスに係るＤＣＩフォーマットを用いてＰＤＣＣＨをモニタリングするように構成されるか、又はＵＲＬＬＣサービスとだけ関連するＤＣＩフォーマットを用いてＰＤＣＣＨをモニタリングするように構成されるＵＥ特定探索空間セット（ＵＳＳ セット）で、ＵＥはネスト探索空間を用いてＭＢＢサービスとだけ関連するＤＣＩフォーマットでＰＤＣＣＨをモニタリングするように構成されたＵＳＳセットにあるうちにＰＤＣＣＨ候補に対するＣＣＥを決定することができ、ＵＥは数式１による探索空間を用いてＰＤＣＣＨ候補に対するＣＣＥを決定することができる。
【０２０６】
本開示が例示的な実施例で説明されたが、多様な変更及び修正が当業者に提案されることができる。本開示は添付された請求範囲の範疇内にあるこのような変更及び修正を含むことで意図される。
【０２０７】
本願の説明中のどれも任意の特定要素、段階、又は機能が必須要素であることを示すことに読解されてはならなく、これは請求範囲に含まれなければならない。本発明の範囲は請求範囲によってだけ規定される。また、正確な単語“〜のための手段”が次に分詞構文がつながらない限り、本請求項のいずれかの項も３５Ｕ.Ｓ.Ｃ.§１１２（ｆ）を適用することで意図されない。
【符号の説明】
【０２０８】
１００  無線ネットワーク
１０１，１０２，１０３  ｇＮＢ
１１１〜１１６  ＵＥ
１２０，１２５  カバレッジ領域
１３０  ネットワーク
【図１】
2022500933.tif 000166
【図２】
2022500933.tif 000167
【図３】
2022500933.tif 000168
【図４】
2022500933.tif 000169
【図５】
2022500933.tif 000170
【図６】
2022500933.tif 000171
【図７】
2022500933.tif 000172
【図８】
2022500933.tif 000173
【図９】
2022500933.tif 000174
【図１０】
2022500933.tif 000175
【図１１】
2022500933.tif 000176
【図１２】
2022500933.tif 000177
【図１３】
2022500933.tif 000178
【図１４】
2022500933.tif 000179
【図１５】
2022500933.tif 000180
【図１６】
2022500933.tif 000181
【国際調査報告】
2022500933.tif 000182
2022500933.tif 000183